(57)【特許請求の範囲】
【請求項１】
凹面状の反射面を有し、ビームの開きが中角である反射鏡内に組み込まれて使用される管球であって、
気密封止されたバルブと当該バルブ内に設けられたフィラメント体とを備え、
前記フィラメント体は、扁平に巻回されてなる一重のコイル状をした二つの発光部が、前記反射鏡の光軸に対して前記反射鏡の光軸と直交する方向に同じ間隔を空け、各々のコイル軸芯が前記光軸と略平行で、かつ、長径方向同士が略平行となる姿勢で対向して配されてなるものであり、
ｘ−ｙ直交座標系において、前記発光部間の前記間隔[ｍｍ]をｘ軸上にとり、前記発光部内周の長径を短径で除して得られる扁平率[無次元]をｙ軸上にとった場合、
前記短径が０.２５[ｍｍ]以上０.６[ｍｍ]以下の場合において、前記間隔と前記扁平率との組み合わせが、
（ｘ，ｙ）座標で表される点（０.２，４）、点（０.２，８）、点（０.５，１０）、
点（３.５，１０）、点（３.５，５）、点（３，５）、点（３，３）、点（２.５，３）、
点（２，２）、点（１，２）、点（０.５，３）、点（０.２，４）を順次、線分で結んで囲まれる領域内（前記線分上を含む。）のｘ座標値とｙ座標値との組み合わせに設定されていることを特徴とする管球。
【請求項２】
凹面状の反射面を有し、ビームの開きが中角である反射鏡内に組み込まれて使用される管球であって、
気密封止されたバルブと当該バルブ内に設けられたフィラメント体とを備え、
前記フィラメント体は、扁平に巻回されてなる一重のコイル状をした二つの発光部が、前記反射鏡の光軸に対して前記反射鏡の光軸と直交する方向に同じ間隔を空け、各々のコイル軸芯が前記光軸と略平行で、かつ、長径方向同士が略平行となる姿勢で対向して配されてなるものであり、
ｘ−ｙ直交座標系において、前記発光部間の前記間隔[ｍｍ]をｘ軸上にとり、前記発光部内周の長径を短径で除して得られる扁平率[無次元]をｙ軸上にとった場合、
前記短径が０.２５[ｍｍ]以上１.０[ｍｍ]以下の場合において、前記間隔と前記扁平率との組み合わせが、
（ｘ，ｙ）座標で表される点（０.２，４）、点（０.２，５）、点（０.５，６）、点
（１，８）、点（２.５，８）、点（３，６）、点（３，３）、点（２，３）、点（２，２）、点（１，２）、点（０.５，３）、点（０.２，４）を順次、線分で結んで囲まれる領域内（前記線分上を含む。）のｘ座標値とｙ座標値との組み合わせに設定されていることを特徴とする管球。
【請求項３】
凹面状の反射面を有し、ビームの開きが広角である反射鏡内に組み込まれて使用される管球であって、
気密封止されたバルブと当該バルブ内に設けられたフィラメント体とを備え、
前記フィラメント体は、扁平に巻回されてなる一重のコイル状をした二つの発光部が、前記反射鏡の光軸に対して前記反射鏡の光軸と直交する方向に同じ間隔を空け、各々のコイル軸芯が前記光軸と略平行で、かつ、長径方向同士が略平行となる姿勢で対向して配されてなるものであり、
ｘ−ｙ直交座標系において、前記発光部間の前記間隔[ｍｍ]をｘ軸上にとり、前記発光部内周の長径を短径で除して得られる扁平率[無次元]をｙ軸上にとった場合、
前記短径が０.２５[ｍｍ]以上０.６[ｍｍ]以下の場合において、前記間隔と前記扁平率との組み合わせが、
（ｘ，ｙ）座標で表される点（０.５，８）、点（１，１０）、点（４.５，１０）、点（４.５，３）、点（１，３）、点（１，６）、点（０.５，８）を順次、線分で結んで囲まれる領域内（前記線分上を含む。）のｘ座標値とｙ座標値との組み合わせに設定されていることを特徴とする管球。
【請求項４】
凹面状の反射面を有し、ビームの開きが広角である反射鏡内に組み込まれて使用される管球であって、
気密封止されたバルブと当該バルブ内に設けられたフィラメント体とを備え、
前記フィラメント体は、扁平に巻回されてなる一重のコイル状をした二つの発光部が、前記反射鏡の光軸に対して前記反射鏡の光軸と直交する方向に同じ間隔を空け、各々のコイル軸芯が前記光軸と略平行で、かつ、長径方向同士が略平行となる姿勢で対向して配されてなるものであり、
ｘ−ｙ直交座標系において、前記発光部間の前記間隔[ｍｍ]をｘ軸上にとり、前記発光部内周の長径を短径で除して得られる扁平率[無次元]をｙ軸上にとった場合、
前記短径が０.２５[ｍｍ]以上１.０[ｍｍ]以下の場合において、前記間隔と前記扁平率との組み合わせが、
（ｘ，ｙ）座標で表される点（０.５，８）、点（１，１０）、点（３.５，１０）、点（４，８）、点（４.５，６）、点（４.５，３）、点（１，３）、点（１，６）、点（０.５，８）を順次、線分で結んで囲まれる領域内（前記線分上を含む。）のｘ座標値とｙ座標値との組み合わせに設定されていることを特徴とする管球。
【請求項５】
凹面状の反射面を有し、ビームの開きが中角である反射鏡内に組み込まれて使用される管球であって、
気密封止されたバルブと当該バルブ内に設けられたフィラメント体とを備え、
前記フィラメント体は、扁平に巻回されてなる一重のコイル状をした二つの発光部が、前記反射鏡の光軸に対して対称であり、かつ前記反射鏡の光軸方向において、前記反射面から遠ざかるほど当該光軸と直交する方向の間隔が狭くなり、さらに長径方向同士が略平行となる姿勢で対向して配されてなるものであり、
ｘ−ｙ直交座標系において、前記発光部間の前記反射面から遠い側の前記間隔[ｍｍ]をｘ軸上にとり、前記発光部内周の長径を短径で除して得られる扁平率[無次元]をｙ軸上にとった場合、
前記両発光部のコイル軸芯同士の成す角度が３０°以下であり、かつ、前記短径が０.
２５[ｍｍ]以上０.６[ｍｍ]以下の場合において、前記遠い側の間隔と前記扁平率との組
み合わせが、
（ｘ，ｙ）座標で表される点（０.２，４）、点（０.２，６）、点（０.５，６）、点
（１，８）、点（１.５，８）、点（２，１０）、点（２.５，８）、点（２.５，６）、
点（３，５）、点（３，４）、点（２.５，３）、点（０.５，３）、点（０.２，４）を
順次、線分で結んで囲まれる領域内（前記線分上を含む。）のｘ座標値とｙ座標値との組み合わせに設定されていることを特徴とする管球。
【請求項６】
凹面状の反射面を有し、ビームの開きが中角である反射鏡内に組み込まれて使用される管球であって、
気密封止されたバルブと当該バルブ内に設けられたフィラメント体とを備え、
前記フィラメント体は、扁平に巻回されてなる一重のコイル状をした二つの発光部が、前記反射鏡の光軸に対して対称であり、かつ前記反射鏡の光軸方向において、前記反射面から遠ざかるほど当該光軸と直交する方向の間隔が狭くなり、さらに長径方向同士が略平行となる姿勢で対向して配されてなるものであり、
ｘ−ｙ直交座標系において、前記発光部間の前記反射面から遠い側の前記間隔[ｍｍ]をｘ軸上にとり、前記発光部内周の長径を短径で除して得られる扁平率[無次元]をｙ軸上にとった場合、
前記両発光部のコイル軸芯同士の成す角度が３０°以下であり、かつ、前記短径が０.
２５[ｍｍ]以上１.０[ｍｍ]以下の場合において、前記遠い側の間隔と前記扁平率との組
み合わせが、
（ｘ，ｙ）座標で表される点（０.２，４）、点（０.２，５）、点（０.５，６）、点
（２.５，６）、点（２.５，３）、点（０.５，３）、点（０.２，４）を順次、線分で結んで囲まれる領域内（前記線分上を含む。）のｘ座標値とｙ座標値との組み合わせに設定されていることを特徴とする管球。
【請求項７】
凹面状の反射面を有し、ビームの開きが広角である反射鏡内に組み込まれて使用される管球であって、
気密封止されたバルブと当該バルブ内に設けられたフィラメント体とを備え、
前記フィラメント体は、扁平に巻回されてなる一重のコイル状をした二つの発光部が、前記反射鏡の光軸に対して対称であり、かつ前記反射鏡の光軸方向において、前記反射面から遠ざかるほど当該光軸と直交する方向の間隔が狭くなり、さらに長径方向同士が略平行となる姿勢で対向して配されてなるものであり、
ｘ−ｙ直交座標系において、前記発光部間の前記反射面から遠い側の前記間隔[ｍｍ]をｘ軸上にとり、前記発光部内周の長径を短径で除して得られる扁平率[無次元]をｙ軸上にとった場合、
前記短径が０．３５［ｍｍ］で、前記発光部間の前記反射鏡に近い側の前記間隔が２.５[ｍｍ]の場合において、前記遠い側の間隔と前記扁平率との組み合わせが、
（ｘ，ｙ）座標で表される点（０.５,３）、点（０.５，１０）、点（１.５，１０）、点（１.５，３）、点（０.５,３）を順次、線分で結んで囲まれる領域内（前記線分上を含む。）のｘ座標値とｙ座標値との組み合わせに設定されていることを特徴とする管球。
【請求項８】
反射鏡と、
前記反射鏡内に組み込まれている、請求項１〜７のいずれか１項に記載の管球と、
を有することを特徴とする反射鏡付き管球。
【請求項９】
反射鏡を有する照明器具と、
前記反射鏡内に組み込まれている、請求項１〜７のいずれか１項に記載の管球と、
を有することを特徴とする照明装置。
【請求項１０】
照明器具と、
前記照明器具に取り付けられている、請求項８記載の反射鏡付き管球と、
を有することを特徴とする照明装置。
【発明の詳細な説明】
【技術分野】
【０００１】
本発明は、管球、反射鏡付き管球、および照明装置に関し、特に、管球におけるフィラメント体の改良技術に関する。
【背景技術】
【０００２】
反射鏡付き管球の一種である反射鏡付きハロゲン電球は、凹面状をした反射面を有する反射鏡とハロゲン電球とを組み合わせてなるものであり、例えば、店舗などのスポット照明用として使用されている。
ハロゲン電球は、気密封止されたバルブ内にフィラメント体が収納されてなる構成を有している。ハロゲン電球を反射鏡と組み合わせて使用する場合には、フィラメント体をできるだけコンパクトにして、その発光領域を可能な限り反射鏡の焦点位置に集中させることによって、集光効率を向上させることができる。この場合に、発光領域を特に反射鏡の光軸方向に縮小することが、集光効率を向上させるためには効果的であることが知られている。
【０００３】
しかしながら、一般的に、ハロゲン電球の定格電圧［Ｖ］、定格電力[Ｗ]、および定格寿命（例えば、３０００時間）が決まると、これに応じて、フィラメント体を構成するタングステン線の線径や長さが実質的に定まってしまう。したがって、例えば、単純にタングステン線の長さを短縮することによってフィラメント体のコンパクト化を図ることは困難である。
【０００４】
そこで、定格電圧１００[Ｖ]以上のハロゲン電球において、実用化されているものは、一般的に、フィラメント体のコンパクト化を図るため二重巻きコイルが用いられている。また、特許文献１には、さらなるコンパクト化のため、フィラメント体として、三重巻きコイルを用いたハロゲン電球が開示されている。これによれば、タングステン線の長さが同じであれば、反射鏡の光軸方向におけるコイル全体の長さを短縮でき、もって集光効率が向上することとなるからである。
【０００５】
しかしながら、コイルの重ね巻数を増やせば増やすほど、ハロゲン電球に外力（衝撃力）が加えられた際に生じるコイルの振動の振幅が大きくなり、これが原因で断線し易くなるといった問題が生じる。
この問題を解決しつつ、フィラメント体のコンパクト化（光軸方向の短縮化）を図れるハロゲン電球として、特許文献２には、複数個の一重コイルが全体的に反射鏡の光軸に対して対称となるように各々の一重コイルを反射鏡の光軸と平行に配したものが開示されている。これにより、当該複数個の一重コイルに相当するものを１個の一重コイルで作製した場合と比較して、光軸方向の長さが短縮されるので、集光効率が向上することとなる。また、各々のコイルは一重なので、上記振動に因る問題も軽減される。
【０００６】
さらに、これを改善したものとして、特許文献３には、上記複数個の一重コイルの内の１個を、反射鏡の光軸に平行にかつ光軸を含む位置に配する構成としたハロゲン電球が開示されている。光軸位置にコイル（すなわち、発光部）が存するのと存しないのとでは得られる照度に大きな差が生じると、一般的に考えられているからである。
ところで、近年の店舗照明における演出手法の多様化から、反射鏡付きハロゲン電球が多用される傾向にあり、そのため、省エネルギ等の観点からも一層の集光効率の向上が求められている。
【０００７】
そこで、本願の発明者らは、複数個の一重コイルの内の１個を反射鏡の光軸を含む位置に配すると共に、残りの一重コイルを前記光軸と交差する方向に間隔を置いて配し、かつ、各々の一重コイルを、素線を扁平な筒状に巻回してなるもの（以下、「扁平コイル」と称する。）としたフィラメント体を創作した。
これによれば、素線を円筒状に巻回してなる従来の一重コイルと比較して、（扁平な筒の短軸長さと円筒の直径とが等しいとした場合）１ターン当たりの素線長を長くすることができる関係上、タングステン線の素線長が同じであれば、コイル長を短くでき、もって、フィラメント体の光軸方向における一層の短縮化ができて集光効率をより向上することとなる。なお、コイルを扁平にすることにより、反射鏡の光軸と交差する方向の長さは、円筒状に巻回されたコイルよりも長くなるものの、集光効率の向上には、光軸と交差する方向よりも光軸方向に短縮する方の効果が大きいので問題はない。
【０００８】
また、フィラメント体の短縮化の観点からは、コイルの個数は多いほど良いように思われるが、多くなり過ぎると、コイル間を電気的に接続すると共に各コイルを支持する支持構造体が複雑になり、また、コイルの支持構造体への組み付けが困難になって現実的ではない。
そこで、本願の発明者らは、複数個のコイルを光軸に対して対称的に配置できると共に、その内の一のコイルを光軸を含む位置に配することができる最小個数として３個の扁平コイルからなるフィラメント体を有するハロゲン電球を創作し、普及している二重巻コイルのフィラメント体を有するハロゲン電球（以下、「普及型管球」と称する。）と同等の集光性を得ることに成功した。
【特許文献１】特開２００１−３４５０７７号公報
【特許文献２】特表平６−５１０８８１号公報
【特許文献３】特開２００２−６３８６９号公報
【発明の開示】
【発明が解決しようとする課題】
【０００９】
しかしながら、３個の扁平コイルからなるフィラメント体のハロゲン電球では、普及型管球よりも寿命が短くなってしまうことが判明した。これは、３個の扁平コイルの内の真ん中の扁平コイル（すなわち、光軸を含む位置に在るコイル）が、これ以外の２個の扁平コイルから発せられる赤外線で両側から熱せられることによって過熱状態となり、過度にタングステンが蒸発するためであると考えられた。
【００１０】
これに対処するには、コイル同士の間隔を拡げればよいが、そうすると、集光性が低下してしまい、満足いく性能が得られなくなってしまうおそれがある。
また、２方向（両側）から加熱される扁平コイルを無くすため、２個の扁平コイルでフィラメント体を構成することも考えられるが、その場合、光軸に対する対称性を考慮した場合、光軸上に扁平コイルを配することができなくなって、やはり満足のいく集光性が得られないのではないかといった懸念がある。
【００１１】
本発明は、上記した課題に鑑み、普及型管球と少なくとも同等の寿命と集光性とを、２個の扁平コイル（発光部）で構成したフィラメント体の管球で達成することを目的とする。また、本発明は、そのような管球を有する反射鏡付き管球、および照明装置を提供することを目的とする。
【課題を解決するための手段】
【００１２】
上記の目的を達成するため、本発明に係る管球は、凹面状の反射面を有する反射鏡内に組み込まれて使用される管球であって、気密封止されたバルブと当該バルブ内に設けられたフィラメント体とを備え、前記フィラメント体は、扁平に巻回されてなる一重のコイル状をした二つの発光部が、前記反射鏡の光軸に対して前記反射鏡の光軸と直交する方向に同じ間隔を空け、各々のコイル軸芯が前記光軸と略平行で、かつ、長径方向同士が略平行となる姿勢で対向して配されてなるものであり、ｘ−ｙ直交座標系において、前記発光部間の前記間隔[ｍｍ]をｘ軸上にとり、前記発光部内周の長径を短径で除して得られる扁平率[無次元]をｙ軸上にとった場合、前記間隔と前記扁平率との組み合わせが、以下の（i）、（ii）、（iii）、（iv）のいずれかの関係に規定されていることを特徴とする。
【００１３】
（i）前記反射鏡のビームの開きが中角であり、前記短径が０.２５[ｍｍ]以上０.６[ｍｍ]以下の場合において、（ｘ，ｙ）座標で表される点Ｐ１（０.２，４）、点Ｐ２（０.２，８）、点Ｐ３（０.５，１０）、点Ｐ４（３.５，１０）、点Ｐ５（３.５，５）、点Ｐ６（３，５）、点Ｐ７（３，３）、点Ｐ８（２.５，３）、点Ｐ９（２，２）、点Ｐ１０（１，２）、点Ｐ１１（０.５，３）、点Ｐ１（０.２，４）を順次、線分で結んで囲まれる領域内（前記線分上を含む。）のｘ座標値とｙ座標値との組み合わせに設定されている。
【００１４】
(ii)前記反射鏡のビームの開きが中角であり、前記短径が０.２５[ｍｍ]以上１.０[ｍｍ]以下の場合において、（ｘ，ｙ）座標で表される点Ｑ１（０.２，４）、点Ｑ２（０.２，５）、点Ｑ３（０.５，６）、点Ｑ４（１，８）、点Ｑ５（２.５，８）、点Ｑ６（３，６）、点Ｑ７（３，３）、点Ｑ８（２，３）、点Ｑ９（２，２）、点Ｑ１０（１，２）、点Ｑ１１（０.５，３）、点Ｑ１（０.２，４）を順次、線分で結んで囲まれる領域内（前記線分上を含む。）のｘ座標値とｙ座標値との組み合わせに設定されている。
【００１５】
（iii）前記反射鏡のビームの開きが広角であり、前記短径が０.２５[ｍｍ]以上０.６[ｍｍ]以下の場合において、（ｘ，ｙ）座標で表される点Ｔ１（０.５，８）、点Ｔ２（１，１０）、点Ｔ３（４.５，１０）、点Ｔ４（４.５，３）、点Ｔ５（１，３）、点Ｔ６（１，６）、点Ｔ１（０.５，８）を順次、線分で結んで囲まれる領域内（前記線分上を含む。）のｘ座標値とｙ座標値との組み合わせに設定されている。
【００１６】
（iv）前記反射鏡のビームの開きが広角であり、前記短径が０.２５[ｍｍ]以上１.０[ｍｍ]以下の場合において、（ｘ，ｙ）座標で表される点Ｕ１（０.５，８）、点Ｕ２（１，１０）、点Ｕ３（３.５，１０）、点Ｕ４（４，８）、点Ｕ５（４.５，６）、点Ｕ６（４.５，３）、点Ｕ７（１，３）、点Ｕ８（１，６）、点Ｕ１（０.５，８）を順次、線分で結んで囲まれる領域内（前記線分上を含む。）のｘ座標値とｙ座標値との組み合わせに設定されている。
【００１７】
上記の目的を達成するため、本発明に係る管球は、凹面状の反射面を有し、ビームの開きが中角である反射鏡内に組み込まれて使用される管球であって、気密封止されたバルブと当該バルブ内に設けられたフィラメント体とを備え、前記フィラメント体は、扁平に巻回されてなる一重のコイル状をした二つの発光部が、前記反射鏡の光軸に対して対称であり、かつ前記反射鏡の光軸方向において、前記反射面から遠ざかるほど当該光軸と直交する方向の間隔が狭くなり、さらに長径方向同士が略平行となる姿勢で対向して配されてなるものであり、ｘ−ｙ直交座標系において、前記発光部間の前記反射面から遠い側の前記間隔[ｍｍ]をｘ軸上にとり、前記発光部内周の長径を短径で除して得られる扁平率[無次元]をｙ軸上にとった場合、前記両発光部のコイル軸芯同士の成す角度が３０°以下の場合において、前記遠い側の間隔と前記扁平率との組み合わせが、以下の（i）、（ii）に記すいずれかの関係に規定されていることを特徴とする。
【００１８】
（i）前記短径が０.２５[ｍｍ]以上０.６[ｍｍ]以下の場合において、（ｘ，ｙ）座標で表される点Ｖ１（０.２，４）、点Ｖ２（０.２，６）、点Ｖ３（０.５，６）、点Ｖ４（１，８）、点Ｖ５（１.５，８）、点Ｖ６（２，１０）、点Ｖ７（２.５，８）、点Ｖ８（２.５，６）、点Ｖ９（３，５）、点Ｖ１０（３，４）、点Ｖ１１（２.５，３）、点Ｖ１２（０.５，３）、点Ｖ１（０.２，４）を順次、線分で結んで囲まれる領域内（前記線分上を含む。）のｘ座標値とｙ座標値との組み合わせに設定されている。
【００１９】
（ii）前記短径が０.２５[ｍｍ]以上１.０[ｍｍ]以下の場合において、（ｘ，ｙ）座標で表される点Ｗ１（０.２，４）、点Ｗ２（０.２，５）、点Ｗ３（０.５，６）、点Ｗ４（２.５，６）、点Ｗ５（２.５，３）、点Ｗ６（０.５，３）、点Ｗ１（０.２，４）を順次、線分で結んで囲まれる領域内（前記線分上を含む。）のｘ座標値とｙ座標値との組み合わせに設定されている。
【００２０】
上記の目的を達成するため、本発明に係る管球は、凹面状の反射面を有し、ビームの開きが広角である反射鏡内に組み込まれて使用される管球であって、気密封止されたバルブと当該バルブ内に設けられたフィラメント体とを備え、前記フィラメント体は、扁平に巻回されてなる一重のコイル状をした二つの発光部が、前記反射鏡の光軸に対して対称であり、かつ前記反射鏡の光軸方向において、前記反射面から遠ざかるほど当該光軸と直交する方向の間隔が狭くなり、さらに長径方向同士が略平行となる姿勢で対向して配されてなるものであり、ｘ−ｙ直交座標系において、前記発光部間の前記反射面から遠い側の前記間隔[ｍｍ]をｘ軸上にとり、前記発光部内周の長径を短径で除して得られる扁平率[無次元]をｙ軸上にとった場合、前記短径が０．３５［ｍｍ］で、前記発光部間の前記反射鏡に近い側の前記間隔が２.５[ｍｍ]の場合において、前記遠い側の間隔と前記扁平率との組み合わせが、（ｘ，ｙ）座標で表される点Ｊ１（０.５,３）、点Ｊ２（０.５，１０）、点Ｊ３（１.５，１０）、点Ｊ４（１.５，３）、点Ｊ１（０.５,３）を順次、線分で結んで囲まれる領域内（前記線分上を含む。）のｘ座標値とｙ座標値との組み合わせに設定されていることを特徴とする。
【００２１】
上記の目的を達成するため、本発明に係る反射鏡付き管球は、反射鏡と、前記反射鏡内に組み込まれている、上記した管球とを有することを特徴とする。
上記の目的を達成するため、本発明に係る照明装置は、反射鏡を有する照明器具と、前記反射鏡内に組み込まれている、上記した管球とを有することを特徴とする。
上記の目的を達成するため、本発明に係る照明装置は、照明器具と、前記照明器具に取り付けられている、上記した反射鏡付き管球とを有することを特徴とする。
【発明の効果】
【００２２】
上記構成からなる管球によれば、実用化されている二重巻フィラメントコイルからなるフィラメント体を備える従来の普及型管球と少なくとも同等の集光性が得られる。また、反射鏡の光軸に対して対称に配置されたコイル状の発光部２個でフィラメント体を構成することとしたので、２以上の方向から加熱される発光部が無くなる。すなわち、過熱状態となる発光部が無くなることから、過熱に起因して生じる断線が防止でき、短寿命の問題を解消し得る。加えて、発光部の各々は一重コイル状をしているので、耐衝撃性にも優れる。
【発明を実施するための最良の形態】
【００２３】
以下、本発明の実施の形態について、図面を参照しながら説明する。
＜実施の形態１＞
図１は、実施の形態１に係る照明装置１０の概略構成を示す一部切欠き図である。なお、図１を含む全ての図面において、各部材間の縮尺は統一していない。
照明装置１０は、例えば、住宅、店舗、あるいはスタジオ等におけるスポットライト照明として用いられる。照明装置１０は、照明器具１２と管球の一例として示すハロゲン電球１４とを有する。
【００２４】
照明器具１２は、有底円筒状をした器具本体１６と器具本体１６に収納された反射鏡１８とを有する。
器具本体１６の底部には、ハロゲン電球１４の口金３０（図２参照）を取り付けるための受け具（図示せず）が設けられている。なお、器具本体１６は、円筒状に限らず、種々の公知形状とすることができる。
【００２５】
反射鏡１８は、ハロゲン電球１４を取替え可能とするため、器具本体１６に対し、着脱可能である。
反射鏡１８は、漏斗状をした硬質ガラス製基体２０を有する。基体２０において回転楕円面または回転放物面等に形成された凹面部分２０Ａには、反射面を構成する多層干渉膜２２が形成されている。多層干渉膜２２は、二酸化ケイ素（ＳｉＯ2）、二酸化チタン（ＴｉＯ2）、フッ化マグネシウム（ＭｇＦ）、硫化亜鉛（ＺｎＳ）等で形成することができる。また、多層干渉膜２２に代えてアルミニウムやクロム等からなる金属膜で反射面を構成することもできる。反射鏡１８の開口径（ミラー径）は１００ｍｍであり、ビームの開き（ビーム角）が、中角または広角のものが用いられる。ここで、ビームの開きは、中角は２０°、広角は３５°としており、その許容される範囲はＩＥＣ規格で規定されている通り、±２５[％]である。なお、反射面には必要に応じてファセットを形成してもよい。
【００２６】
反射鏡１８は、基体２０の開口部に設けられた前面ガラス２４を有する。本例では、前面ガラス２４は基体２０に固着されており、ハロゲン電球１４の取替えのため、基体２０部分が器具本体１６と着脱自在な構成となっているが、これに限らず、基体を器具本体に固定し、前面ガラスを基体に対し着脱自在な構成としても構わない。
ハロゲン電球１４は、前記受け具（不図示）に取り付けられ、反射鏡１８内に組み込まれて使用される。組み込まれた（取り付けられた）状態で、ハロゲン電球１４の後述するバルブ２６の中心軸Ｂが反射鏡１８の光軸Ｒとが略同軸上に位置することとなる（中心軸Ｂと光軸Ｒとが略一致することとなる。）。ハロゲン電球１４は、定格電圧が１００[Ｖ]以上１５０[Ｖ]以下で、かつ定格電力が１００[Ｗ]以下に設定された電球である。
【００２７】
図２に、ハロゲン電球１４の一部切欠き正面図を示す。
ハロゲン電球１４は、気密封止されたバルブ２６と、バルブ２６の後述する封止部３８側に接着剤２８によって固着された、例えばＥ型の口金３０とを有している。
バルブ２６は、封止切りの残痕であるチップオフ部３２、後述するフィラメント体６０等を収納するフィラメント体収納部３４、略円筒状をした筒部３６、および公知のピンチシール法によって形成された封止部３８がこの順に連なった構造をしている。
【００２８】
フィラメント体収納部３４は、図２に示すように、略回転楕円体形状をしている。ここで言う「略回転楕円体形状」とは、完全な回転楕円体形を含むことはもちろんのこと、ガラスの加工上ばらつく程度分、完全な回転楕円体形からずれた形状を含むことを意味している。なお、フィラメント体収納部は、上記した形状に限らず、例えば、略円筒形状や略球形状、あるいは略複合楕円体形状としても構わない。
【００２９】
また、バルブの構造も上記したものに限らず、例えば、チップオフ部（場合によっては無い場合もある）、フィラメント体収納部、封止部がこの順に連なったものとすることができる。
なお、フィラメント体収納部３４の外面には赤外線反射膜が形成されている。もっとも、この赤外線反射膜は必ずしも必要なものではなく、適宜形成されるものである。
【００３０】
バルブ２６内には、ハロゲン物質と希ガスとがそれぞれ所定量封入されている。これに加えて、窒素ガスを封入することとしても構わない。
ハロゲン物質は、点灯中、ハロゲンサイクルによって、フィラメント体６０から蒸発したその構成物質であるタングステンを再びフィラメント体６０に戻し、バルブ２６の黒化を防止するためのものである。ハロゲン物質の濃度は１０［ｐｐｍ］〜３００［ｐｐｍ］の範囲内にあることが好ましい。また、ハロゲンサイクルを活性化させるためには、バルブ２６内面における最冷点温度が２００［℃］以上であることが好ましい。さらに、ハロゲンサイクルを適切に機能させるためには、バルブ２６内の酸素濃度を１００［ｐｐｍ］以下にすることが好ましい。
【００３１】
希ガスには、クリプトンガスを用いることが好ましい。クリプトンガスを用いることにより、集光効率を高める目的でフィラメント体をコンパクト化するため、後述するように発光部同士を近接配置しているにもかかわらず、隣接する発光部間の任意の場所で点灯時にアーク放電が発生して、断線するのを抑制するといった効果が得られる。
特に、封入ガスは、クリプトンを主成分とした、窒素ガスおよびハロゲン物質を含むものとし、バルブ２６内での常温時におけるガス圧を２［ａｔｍ］〜１０［ａｔｍ］の範囲内に設定することが好ましい。当該ガス圧が１０[ａｔｍ]を超えると、万一バルブ２６が破損した場合に、飛散する破片で照明器具が破損するおそれがあり、一方、２[ａｔｍ]未満であると、フィラメント体６０の構成物質であるタングステンが蒸発し易く、ランプ寿命が短くなるからである。換言すると、ガス圧の上記範囲は、当該ガス圧が適度に抑制されているため、万一バルブ２６が破損したとしても、照明器具が破損するほどの勢いで破片が飛散せず、かつ、当該ガス圧が適度に高いため、フィラメント体６０の構成物質であるタングステンが蒸発しにくく、長寿命化を実現でき、さらには、点灯時に隣接する発光部間の任意の場所で点灯時にアーク放電が発生して、断線するのを抑制することができる範囲である。
【００３２】
また、封入ガスに窒素ガスを含ませる場合、窒素ガスの組成比率は８［％］〜４０［％］の範囲内に設定することが好ましい。窒素ガスの組成比率が４０[％]を超えると、点灯中にフィラメント体６０で発生する熱が窒素ガスを介して過度に放出され、効率が低下するおそれがあり、一方、８[％]未満であると、点灯時に隣接する発光部間でアーク放電が起きやすく、断線が発生し易いからである。換言すると、窒素ガスの上記組成比率範囲は、窒素ガスの組成比率が適度に抑制されているため、点灯中にフィラメント体６０で発生する熱が窒素ガスを介して過度に放出されることにより効率が低下するのを防止することができると共に、窒素ガスが適度に含まれているため、点灯時に隣接する発光部管でアーク放電が発生し、断線するのを抑制することができる範囲である。
【００３３】
封止部３８内には、一対の金属箔４０，４２が封着されている。金属箔４０，４２はモリブデン製である。なお、封止部３８に封着されている金属箔４０，４２の過熱による酸化が原因で、バルブ２６の気密性が損なわれるのを防止するため、封止部３８の表面を凹凸にして、当該表面積を増やし、封止部３８での放熱性を向上させることが好ましい。
金属箔４０の一端部には外部リード線４４の一端部が、金属箔４２の一端部には外部リード線４６の一端部が、それぞれ接合されて電気的に接続されている。外部リード線４４，４６は、タングステン製である。外部リード線４４，４６の他端部は、バルブ２６の外部に導出されていて、それぞれ、口金３０の端子部４８，５０に電気的に接続されている。
【００３４】
ここで、２本の外部リード線４４，４６の内、少なくとも一方の外部リード線と口金３０の対応する端子部（４８または５０）との間に、ヒューズ（図示せず）を設けておくことが好ましい。当該ヒューズを設けることにより、万一、発光部で断線が生じ、その断線箇所でアーク放電が発生したとしても、即座にヒューズが溶断されてアーク放電の継続を絶ち、もってアーク放電の衝撃でバルブ２６が破損等するのを防止できる。特に、複数の発光部を近接して配置する場合には、両方の外部リード線４４，４６と口金３０の対応する端子部４８，５０とのそれぞれの間にヒューズを設けることが好ましい。この場合には、発光部での断線に起因するアーク放電が発生しなくても、隣接する発光部間でアーク放電が発生するおそれがあるからである。
【００３５】
金属箔４０の他端部には内部リード線５２の一端部が、金属箔４２の他端部には内部リード線５４の一端部が、それぞれ接合されて電気的に接続されている。内部リード線５２，５４は、タングステン製である。内部リード線５２，５４の一端部は、バルブ２６の封止部３８で支持されている。内部リード線５２，５４は、口金３０を介して供給される外部電力をフィラメント体６０に給電すると共に、フィラメント体６０の一部を直接に支持する支持部材としての役割を果たす。
【００３６】
図３に、フィラメント体６０を支持する支持構造体を示す斜視図を、図４に、当該支持構造体にフィラメント体６０が支持された状態を示す斜視図をそれぞれ示す。
図３に示すように、フィラメント体６０の一部を直接に支持する支持部材としては他に、タングステンからなるサポート線５６がある。
内部リード線５２，５４、サポート線５６は、一対の円柱状ステムガラス５７，５９で挟持されている。これによって、サポート線５６が支持されると共に、内部リード線５２，５４、サポート線５６相互間の相対的な位置が保持されることとなる。
【００３７】
図４に示すように、フィラメント体６０は、第１フィラメントコイル６２および第２フィラメントコイル６４の２個のフィラメントコイルからなる。第１および第２フィラメントコイル６２，６４、タングステン線を、後述するように巻回したものである。
内部リード線５２，５４、サポート線５６は、フィラメントコイル６２，６４の端部部分に挿入されて、フィラメントコイル６２，６４を支持するための「コ」字状に屈曲した部分（以下、この部分を「コイル支持部」と称する。）を１箇所または２箇所有する。
【００３８】
ここで、第１フィラメントコイル６２は、内部リード線５２のコイル支持部５２Ａ（図３参照）とサポート線５６のコイル支持部５６Ａ（図３参照）とで支持されている。
第２フィラメントコイル６４は、サポート線５６のコイル支持部５６Ｂ（図３参照）と内部リード線５４のコイル支持部５４Ａ（図３参照）とで支持されている。
また、図４から明らかなように、第１フィラメントコイル６２と第２フィラメントコイル６４の一端部同士は、サポート線５６で電気的に接続されている。すなわち、第１フィラメントコイル６２と第２フィラメントコイル６４は、サポート線５６によって直列に接続されている。
【００３９】
図４に示す状態で、内部リード線５２，５４から給電すると、第１および第２フィラメントコイル６２，６４は、コイル支持部が挿入されている部分では発光せずに（非発光部）、コイル支持部間で発光する。ここで、各フィラメントコイル６２，６４におけるコイル支持部間の部分（すなわち、発光する部分）を、それぞれ第１発光部６２Ａ、第２発光部６４Ａと規定することとする。すなわち、フィラメント体６０は、一重のコイル状をした２個の発光部６２Ａ，６４Ａを有している。
【００４０】
また、図４に示すように、第１、第２フィラメントコイル６２，６４（第１、第２発光部６２Ａ，６４Ａ）は、扁平な筒状に巻回されてなる一重コイル（以下、「扁平コイル」と略称する。）状をしている。このような形状にしたのは、以下の理由による。すなわち、特許文献２や特許文献３に記載されているような、円筒状に巻回されてなる従来の一重コイル（以下、「円筒コイル」と略称する。）と比較して、（扁平な筒の短軸長と円筒の直径が等しいとした場合）１ターン当たりの素線長を長くすることができる関係上、タングステン線の素線長が同じであれば、コイル長を短縮でき、もって、反射鏡の光軸方向（バルブの中心軸方向）におけるフィラメントコイル（発光部）の縮小化が図れることとなるからである。なお、コイルを扁平にすることにより、反射鏡の光軸と交差する方向の長さは、円筒状に巻回されたコイルよりも長くなるものの、集光効率の向上には、光軸と交差する方向よりも光軸方向に短縮する方の効果が大きいので問題はない。
【００４１】
扁平コイルであるフィラメントコイル６２，６４は、以下のようにして作製される。
すなわち、図５に示すように、円柱状をした芯線（マンドレル）６６を複数本（図示例では３本）、平行かつ一列に密着させて並べたものの外周に、タングステン線６８を巻回した後、芯線６６を抜いて作製する。あるいは、芯線６６を化学的に溶解させて除去することとしても構わない。
【００４２】
図６の上部に示すのは、第１フィラメントコイル６２をそのコイル軸心ＣＸ方向から視た平面図を模式的に表したものであり、図６の下部に示すのは、同正面図を模式的に表したものである。
第１、２フィラメントコイル６２，６４は略同一形態なので、第１フィラメントコイル６２を代表にして説明する。
【００４３】
図６の上部に示すように、第１フィラメントコイル６２は、そのコイル軸心ＣＸ方向から見て、平行に配された２本の線分の対応する端同士を半円で結んでなる、いわゆる（陸上競技の）トラック形状をしている。この形状は、上記した作製方法に由来するものであり、芯線６６の本数が多いほど、より扁平したトラック形状となる。すなわち、芯線６６の本数で、扁平の度合い（扁平率）を調整することができる。
【００４４】
ここで、扁平率は、第１フィラメントコイル６２内周における長軸ＬＸの長さ（長内径）を短軸ＳＸの長さ（短内径）で除して得られる値と規定する。本例では、上記した製作法を採る関係上、扁平率は整数の値となる。
また、上述したとおり、図６の下部に示すように、第１フィラメントコイル６２は、コイル支持部５２Ａとコイル支持部５６Ａ（図３、図４）で支持された両端部部分の非発光部６２Ｂと両コイル支持部５２Ａ，５６Ａ間部分の発光部６２Ａとを有している。
【００４５】
図７の上部に示すのは、内部リード線５２，５４、サポート線５６に取り付けられた状態の第１、第２フィラメントコイル６２，６４を、バルブ２６の中心軸Ｂ（図１、図２）方向から見た平面図を模式的に表したものであり、図７の下部に示すのは、同正面図を模式的に表したものである。なお、ハロゲン電球１４を反射鏡１８に組み込んだ状態においては、図７は、反射鏡１８の光軸Ｒ(図１)方向から、第１、第２フィラメントコイル６２，６４を見た図とも言える。ここで、図７は、第１、第２フィラメントコイル６２，６４間の配置位置の関係等を説明する目的で用いるため、本図において、内部リード線５２，５４の図示は省略し、サポート線５６は、第１、第２フィラメントコイル６２，６４間の電気的な接続関係を示す目的で、単に線で表した。また、下部の正面図では、第１、第２フィラメントコイル６２，６４の第１、第２発光部６２Ａ，６４Ａを実線で、非発光部６２Ｂ，６４Ｂを二点鎖線でそれぞれ表した。
【００４６】
図７に示すように、第１フィラメントコイル６２（第１発光部６２Ａ）と第２フィラメントコイル６４（第２発光部６４Ａ）とが、各々のコイル軸心ＣＸが中心軸Ｂに略平行となり、かつ、両コイルの長軸ＬＸ同士が略平行となる姿勢で配されてフィラメント体６０が構成されている。また、第１フィラメントコイル６２（第１発光部６２Ａ）と第２フィラメントコイル６４（第２発光部６４Ａ）とは、所定のコイル間隔（発光部間隔）Ｄ１を空けて配されている。さらに、中心軸Ｂに関する対称性を考慮して、第１フィラメントコイル６２（第１発光部６２Ａ）と第２フィラメントコイル６４（第２発光部６４Ａ）とは、中心軸Ｂから略等距離の位置に配されている。
【００４７】
このように、フィラメント体を構成するフィラメントコイル（発光部）の個数を２個とすることにより、当然のことながら、２以上の方向から加熱される（すなわち、２個以上のフィラメントコイルが発生する赤外線によって加熱される）フィラメントコイル（発光部）が無くなる。すなわち、過熱状態となるフィラメントコイル（発光部）が無くなることから、過熱に起因して生じる断線が防止でき、短寿命の問題を解消し得るものである。
【００４８】
しかしながら、中心軸Ｂ（光軸Ｒ）に関する対称性を考慮した場合、中心軸Ｂ（光軸Ｒ）を含む位置にフィラメントコイルを配することができないので、満足できる集光効率が得られないのではないかと懸念された。
そこで、本願発明者らが、検討を重ねた結果、短軸長さ（長軸長さ）、扁平率、および発光部間隔（コイル間隔）を適切な値にすることにより、普及型ハロゲン電球と同等の集光効率と寿命が達成できるハロゲン電球を得ることに成功した。
【００４９】
図８に、そのようなハロゲン電球の仕様の一例を示す。
図８において、Ｎｏ．３〜１４が実施例に係るハロゲン電球（以下、「実施例電球」と称する。）である。ここで、Ｎｏ．３〜８は、コイル間隔（発光部間隔）Ｄ１＝２．５[ｍｍ]、短軸長さＳＸ＝０．３５[ｍｍ]とした上で、扁平率を３，４，５，６，８，１０と変化させたフィラメント体を有するハロゲン電球である。Ｎｏ．９〜１４は、コイル間隔（発光部間隔）Ｄ１＝２．５[ｍｍ]、扁平率＝３とした上で、短軸長さＳＸを、本図に示す範囲で変化させたフィラメント体を有するハロゲン電球である。なお、Ｎｏ．３〜１４に係る実施例電球の各フィラメントコイルにおける巻線間隔（ピッチ）は全て同様とした。また、各フィラメントコイルの発光部を形成する部分のタングステン線も略同じ長さとした。したがって、短軸長さと扁平率とが決まれば、発光部全長（有効コイル長）は必然的に決まることとなる。
【００５０】
図８において、Ｎｏ．１は、実用化されている反射鏡付きハロゲン電球（松下電器産業株式会社製、品番ＪＤＲ１１０Ｖ６５ＷＫＭ／５Ｅ１１）を構成するハロゲン電球（以下、「基準電球」と称する。）であり、二重コイルのフィラメント体を有するものである。なお、当該反射鏡付きハロゲン電球の反射鏡は、ビーム角（ビームの開き）が中角のものである。
【００５１】
また、Ｎｏ．２は、比較例として示すハロゲン電球（以下、「比較電球」と称する。）であり、図９に示すように、第１〜第３フィラメントコイル２０２，２０４，２０６（第１〜第３発光部２０２Ａ，２０４Ａ，２０６Ａ）からなるフィラメント体２００を有するものである。図９は図７に準じて描いた図であり、比較電球は、第２フィラメントコイル２０４（第２発光部２０４Ａ）を、その軸心ＣＸがバルブ２６の中心軸Ｂと略一致するように配すると共に、その両側に対照的に第１および第３フィラメントコイル２０２，２０６（第１および第３発光部２０２Ａ，２０６Ａ）をコイル間隔（発光部間隔）Ｄ２を空けて配置したものである。
【００５２】
ここで、集光性の評価は以下のようにして行った。上記反射鏡付きハロゲン電球（品番ＪＤＲ１１０Ｖ６５ＷＫＭ／５Ｅ１１）から、付属しているハロゲン電球を取り外し、実施例電球、比較電球を取り付けた状態を条件として設定し、コンピュータを用いたシミュレーションによって、各種の値を演算した。なお、実施例電球の幾種類かは、実際に作成して実験を実施しているが、実験結果とシミュレーション結果とは、略符合している。
そして、定格電圧１１０[Ｖ]、定格電力６５[Ｗ]で点灯させる条件の下、反射鏡付きハロゲン電球から距離１[ｍ]離れた照射面における中心照度[ｌｘ]を演算により求めた。そして、上記反射鏡付きハロゲン電球で得られる中心照度を「１００」とした場合における相対照度に関し、Ｎｏ．２〜１４の電球について調査した。
【００５３】
図８に示すように、Ｎｏ．１〜１４の電球は、全て光束が同じ（１１００[ｌｍ]）なので、相対照度の値が大きい程、集光性に優れていることになる。なお、光束が１１００[ｌｍ]未満であっても、相対照度が１００を超えている場合には、基準電球よりも集光性に優れていると言えることは言うまでもない。
比較電球（Ｎｏ．２）は、相対照度が１５５と集光性に優れているものの、寿命が５００[ｈ]と、基準電球（Ｎｏ．１）よりも極端に短くなっている。これは、上述したように、第２フィラメントコイル２０４（第２発光部２０４Ａ）が、第１および第３のフィラメントコイル２０２，２０６（第１および第３発光部２０２Ａ，２０６Ａ）から発せられる赤外線で両側から熱せられることによって過熱状態となり、過度にタングステンが蒸発するためであると考えられている。これに対処するには、コイル同士の間隔Ｄ２を拡げればよいが、少し拡げただけで、集光性が極端に低下してしまい、満足いく性能が得られなくなってしまうことが確認されている。
【００５４】
これに対し、実施例電球（Ｎｏ．３〜１４）によれば、基準電球（Ｎｏ．１）と同等かそれ以上の集光性が得られると共に、基準電球（Ｎｏ．１）と同等の寿命を達成している。なお、実施例電球（Ｎｏ．３〜１４）は、一重コイルのみでフィラメント体を構成している関係上、二重コイルでフィラメント体を構成している基準電球（Ｎｏ．１）よりも、耐衝撃性が改善されていることは言うまでもない。
【００５５】
図８に示す結果から、この場合に、短軸長さを０.３５[ｍｍ]とした場合には、少なくとも扁平率が３あれば、基準電球（Ｎｏ．１）よりも高い集光性が得られることが分かる（実施例電球Ｎｏ．３〜８）。
また、扁平率が３であれば、短軸長さが少なくとも０.３５[ｍｍ]あれば、基準電球（Ｎｏ．１）よりも高い集光性が得られることが分かる（実施例電球Ｎｏ．９〜１４）。
【００５６】
さらに、本願発明者らは、短軸長さ、扁平率、コイル間隔を種々に変化させた際の、相対照度について調査した。
〔反射鏡：中角、短軸長さ（短内径）：０.３５[ｍｍ]〕
上記と同様の条件の下、短軸長さを０.３５[ｍｍ]とした場合において、コイル間隔と扁平率との組み合わせを種々に変化させたときの相対照度に関して調査した。
【００５７】
調査結果を図１０に示す。図１０に示すように、コイル間隔は、０.２[ｍｍ]〜４．５[ｍｍ]の範囲で、扁平率は、２〜１０の範囲で変化させ、各々の組み合わせについて相対照度を調査した。
図１０に示す調査結果を、図１１においてグラフ化した。
図１１は、ｘ軸（横軸）に発光部間隔（コイル間隔）を、ｙ軸（縦軸）に扁平率をとったｘ−ｙ直交座標系である。図１０に示す調査結果は、相対照度が１００以上であれば、白抜きの丸「○」で、相対照度が１００未満であれば、黒塗りの丸「●」で、各々、前記ｘ−ｙ直交座標系のグラフにプロットした。
【００５８】
したがって、図１１において、白抜きの丸「○」が占める領域内における「発光部間隔」と「扁平率」との組み合わせとした場合には、前記基準電球と同等かそれ以上の集光性が得られることとなる。
すなわち、図１１において、「発光部間隔」と「扁平率」との組み合わせを、（ｘ，ｙ）座標で表される点Ｅ１（０.２,３）、点Ｅ２（０.２，１０）、点Ｅ３（３.５，１０）、点Ｅ４（４，８）、点Ｅ５（４，６）、点Ｅ６（３.５，５）、点Ｅ７（３.５，３）、点Ｅ８（３，３）、点Ｅ９（２.５，２）、点Ｅ１０（０.５，２）、点Ｅ１（０.２,３）を順次、線分で結んで囲まれる領域内（前記線分上を含む。）における値に設定すればよいこととなる。
【００５９】
〔反射鏡：中角、短軸長さ（短内径）：０.２５[ｍｍ]〜０.６[ｍｍ]〕
本願発明者らは、さらに短軸長さの範囲を広げて、上記と同様、コイル間隔と扁平率との各組み合わせにおける相対照度に関して調査した。
短軸長さは、上記調査の０.３５[ｍｍ]（図１０）に加え、０.２５[ｍｍ]、０.３０[ｍｍ]、０.４０[ｍｍ]、０.４５[ｍｍ]、０.５０[ｍｍ]、０.６０[ｍｍ]とした。
【００６０】
短軸長さ毎の調査結果を、それぞれ、図１２〜図１７に示す。
そして、図１０（短軸長さ＝０.３５[ｍｍ]）および図１２〜図１７に示す調査結果を通し、コイル間隔と扁平率の対応する組み合わせの各々において、最も相対照度の低い値を抜き出し、図１８にまとめた。例えば、コイル間隔＝０.２[ｍｍ]、扁平率＝１０の組み合わせの場合、相対照度は、それぞれ、「１４０」（図１０）、「１３７」（図１２）、「１３４」(図１３)、「１１１」（図１４）、「１０８」（図１５）、「１０３」（図１６）、「９６」（図１７）なので、この内、最も低い相対照度「９６」を抜き出し、図１８において、コイル間隔＝０.２[ｍｍ]、扁平率＝１０に対応する欄に当該「９６」を記入した。
【００６１】
図１８に示す結果を、図１９おいてグラフ化した。
図１９は、ｘ軸（横軸）に発光部間隔（コイル間隔）を、ｙ軸（縦軸）に短軸長さ[ｍｍ]をとったｘ−ｙ直交座標系である。図１１の場合と同様、図１９に示す調査結果は、相対照度が１００以上であれば、白抜きの丸「○」で、相対照度が１００未満であれば、黒塗りの丸「●」で、各々、前記ｘ−ｙ直交座標系のグラフにプロットした。
【００６２】
図１９は、短軸長さ（短内径）＝０.２５[ｍｍ]〜０.６[ｍｍ]の範囲において、相対照度の最も低いデータに基づいているため、当該図１９において、白抜きの丸「○」が占める領域内における「発光部間隔」と「短軸長さ」との組み合わせとした場合には、少なくとも、短軸長さ（短内径）＝０.２５[ｍｍ]〜０.６[ｍｍ]の範囲において、前記基準電球と同等かそれ以上の集光性が得られることとなる。
【００６３】
すなわち、本条件の下では、図１９において、「発光部間隔」と「扁平率」との組み合わせを、（ｘ，ｙ）座標で表される点Ｐ１（０.２，４）、点Ｐ２（０.２，８）、点Ｐ３（０.５，１０）、点Ｐ４（３.５，１０）、点Ｐ５（３.５，５）、点Ｐ６（３，５）、点Ｐ７（３，３）、点Ｐ８（２.５，３）、点Ｐ９（２，２）、点Ｐ１０（１，２）、点Ｐ１１（０.５，３）、点Ｐ１（０.２，４）を順次、線分で結んで囲まれる領域内（前記線分上を含む。）における値に設定すればよいこととなる。
【００６４】
〔反射鏡：中角、短軸長さ（短内径）：０.２５[ｍｍ]〜１.００[ｍｍ]〕
本願発明者らは、さらに短軸長さ（短内径）＝１.００[ｍｍ]の場合についても、上記と同様、コイル間隔と扁平率との各組み合わせにおける相対照度に関して調査した。
調査結果を図２０に示す。
そして、図１０（短軸長さ＝０.３５[ｍｍ]）、図１２〜図１７に加え、図２０に示す調査結果を通し、コイル間隔と扁平率の対応する組み合わせの各々において、最も相対照度の低い値を抜き出し、図２１にまとめた。
【００６５】
図１８に示す結果を、図１９の場合と同様にして、図２２おいてグラフ化した。
図２２は、短軸長さ（短内径）＝０.２５[ｍｍ]〜１.００[ｍｍ]の範囲において、相対照度の最も低いデータに基づいているため、当該図２２において、白抜きの丸「○」が占める領域内における「発光部間隔」と「短軸長さ」との組み合わせとした場合には、少なくとも、短軸長さ（短内径）＝０.２５[ｍｍ]〜１.００[ｍｍ]の範囲において、前記基準電球と同等かそれ以上の集光性が得られることとなる。
【００６６】
すなわち、本条件の下では、図２２において、「発光部間隔」と「扁平率」との組み合わせを、（ｘ，ｙ）座標で表される点Ｑ１（０.２，４）、点Ｑ２（０.２，５）、点Ｑ３（０.５，６）、点Ｑ４（１，８）、点Ｑ５（２.５，８）、点Ｑ６（３，６）、点Ｑ７（３，３）、点Ｑ８（２，３）、点Ｑ９（２，２）、点Ｑ１０（１，２）、点Ｑ１１（０.５，３）、点Ｑ１（０.２，４）を順次、線分で結んで囲まれる領域内（前記線分上を含む。）における値に設定すればよいこととなる。
【００６７】
〔反射鏡：中角、扁平率：３〕
扁平率を３とした場合において、コイル間隔と短軸長さとの組み合わせを種々に変化させたときの相対照度に関して調査した。
調査結果を図２３に示す。図１０に示すように、コイル間隔は、０.２[ｍｍ]〜４[ｍｍ]の範囲で、短軸長さは、０.３[ｍｍ]〜１.０[ｍｍ]の範囲で変化させ、各々の組み合わせについて相対照度を調査した。
【００６８】
図２３に示す調査結果を、図２４においてグラフ化した。
図２４は、ｘ軸（横軸）に発光部間隔（コイル間隔）を、ｙ軸（縦軸）に短軸長さ[ｍｍ]をとったｘ−ｙ直交座標系である。図１１の場合と同様、図２４に示す調査結果は、相対照度が１００以上であれば、白抜きの丸「○」で、相対照度が１００未満であれば、黒塗りの丸「●」で、各々、前記ｘ−ｙ直交座標系のグラフにプロットした。
【００６９】
したがって、図２４において、白抜きの丸「○」が占める領域内における「発光部間隔」と「短軸長さ」との組み合わせとした場合には、前記基準電球と同等かそれ以上の集光性が得られることとなる。
すなわち、図２４において、「発光部間隔」と「短軸長さ」との組み合わせを、（ｘ，ｙ）座標で表される点Ｆ１（０.２，０.３）、点Ｆ２（０.２，１.０）、点Ｆ３（３.５，１.０）、点Ｆ４（３.５，０.３５）、点Ｆ５（３，０.３）、点Ｆ１（０.２，０.３）を順次、線分で結んで囲まれる領域内（前記線分上を含む。）における値に設定すればよいこととなる。
【００７０】
〔反射鏡：広角、短軸長さ（短内径）：０.３５[ｍｍ]〕
反射鏡を広角のものに変えた以外は、上記と同様の条件の下、短軸長さを０.３５[ｍｍ]とした場合において、コイル間隔と扁平率との組み合わせを種々に変化させたときの相対照度に関して調査した。
調査結果を図２５に示す。図２５に示すように、コイル間隔は、０.２[ｍｍ]〜４．５[ｍｍ]の範囲で、扁平率は、２〜１０の範囲で変化させ、各々の組み合わせについて相対照度を調査した。
【００７１】
図２５に示す調査結果を、図１１と同様にして、図２６においてグラフ化した。
すなわち、図２６は、ｘ軸（横軸）に発光部間隔（コイル間隔）を、ｙ軸（縦軸）に扁平率をとったｘ−ｙ直交座標系であり、図２５に示す調査結果を、相対照度が１００以上であれば、白抜きの丸「○」で、相対照度が１００未満であれば、黒塗りの丸「●」で、各々、前記ｘ−ｙ直交座標系のグラフにプロットした。
【００７２】
したがって、図２６において、白抜きの丸「○」が占める領域内における「発光部間隔」と「扁平率」との組み合わせとした場合には、前記基準電球（ただし、広角の反射鏡と組み合わせたもの）と同等かそれ以上の集光性が得られることとなる。
すなわち、図２６において、「発光部間隔」と「扁平率」との組み合わせを、（ｘ，ｙ）座標で表される点Ｇ１（０.５,６）、点Ｇ２（０.５，１０）、点Ｇ３（４.５，１０）、点Ｇ４（４.５，３）、点Ｇ５（１，３）、点Ｇ６（１，６）、点Ｇ１（０.５,６）を順次、線分で結んで囲まれる領域内（前記線分上を含む。）における値に設定すればよいこととなる。
【００７３】
〔反射鏡：広角、短軸長さ（短内径）：０.２５[ｍｍ]〜０.６[ｍｍ]〕
本願発明者らは、さらに短軸長さの広範囲を広げ、反射鏡が広角の場合について、上記と同様、コイル間隔と扁平率との各組み合わせにおける相対照度に関して調査した。
短軸長さは、上記調査の０.３５[ｍｍ]（図２５）に加え、０.２５[ｍｍ]、０.３０[ｍｍ]、０.４０[ｍｍ]、０.４５[ｍｍ]、０.５０[ｍｍ]、０.６０[ｍｍ]とした。
【００７４】
短軸長さ毎の調査結果を、それぞれ、図２７〜図３２に示す。
そして、図２５（短軸長さ＝０.３５[ｍｍ]）および図２７〜図３２に示す調査結果を通し、コイル間隔と扁平率の対応する組み合わせの各々において、最も相対照度の低い値を抜き出し、図３３にまとめた。例えば、コイル間隔＝０.２[ｍｍ]、扁平率＝１０の組み合わせの場合、相対照度は、それぞれ、「９２」（図２５）、「９２」（図２７）、「９０」(図２８)、「９８」（図２９）、「１０３」（図３０）、「１０９」（図３１）、「１０８」（図３２）なので、この内、最も低い相対照度「９０」を抜き出し、図３３において、コイル間隔＝０.２[ｍｍ]、扁平率＝１０に対応する欄に当該「９０」を記入した。
【００７５】
図３３に示す結果を、図３４おいてグラフ化した。
図３４は、ｘ軸（横軸）に発光部間隔（コイル間隔）を、ｙ軸（縦軸）に短軸長さ[ｍｍ]をとったｘ−ｙ直交座標系である。図１１の場合と同様、図３４に示す調査結果は、相対照度が１００以上であれば、白抜きの丸「○」で、相対照度が１００未満であれば、黒塗りの丸「●」で、各々、前記ｘ−ｙ直交座標系のグラフにプロットした。
【００７６】
図３４は、短軸長さ（短内径）＝０.２５[ｍｍ]〜０.６[ｍｍ]の範囲において、相対照度の最も低いデータに基づいているため、当該図３４において、白抜きの丸「○」が占める領域内における「発光部間隔」と「短軸長さ」との組み合わせとした場合には、少なくとも、短軸長さ（短内径）＝０.２５[ｍｍ]〜０.６[ｍｍ]の範囲において、前記基準電球と同等かそれ以上の集光性が得られることとなる。
【００７７】
すなわち、本条件の下では、図３４において、「発光部間隔」と「扁平率」との組み合わせを、（ｘ，ｙ）座標で表される点Ｔ１（０.５，８）、点Ｔ２（１，１０）、点Ｔ３（４.５，１０）、点Ｔ４（４.５，３）、点Ｔ５（１，３）、点Ｔ６（１，６）、点Ｔ１（０.５，８）を順次、線分で結んで囲まれる領域内（前記線分上を含む。）における値に設定すればよいこととなる。
【００７８】
〔反射鏡：広角、短軸長さ（短内径）：０.２５[ｍｍ]〜１.００[ｍｍ]〕
本願発明者らは、反射鏡が広角の場合に、さらに短軸長さ（短内径）＝１.００[ｍｍ]の場合についても、上記と同様、コイル間隔と扁平率との各組み合わせにおける相対照度に関して調査した。
調査結果を図３５に示す。
【００７９】
そして、図２５（短軸長さ＝０.３５[ｍｍ]）、図２７〜図３２に加え、図３５に示す調査結果を通し、コイル間隔と扁平率の対応する組み合わせの各々において、最も相対照度の低い値を抜き出し、図３６にまとめた。
図３３に示す結果を、図３４の場合と同様にして、図３７おいてグラフ化した。
図３７は、短軸長さ（短内径）＝０.２５[ｍｍ]〜１.００[ｍｍ]の範囲において、相対照度の最も低いデータに基づいているため、当該図３７において、白抜きの丸「○」が占める領域内における「発光部間隔」と「短軸長さ」との組み合わせとした場合には、少なくとも、短軸長さ（短内径）＝０.２５[ｍｍ]〜１.００[ｍｍ]の範囲において、前記基準電球と同等かそれ以上の集光性が得られることとなる。
【００８０】
すなわち、本条件の下では、図３７において、「発光部間隔」と「扁平率」との組み合わせを、（ｘ，ｙ）座標で表される点Ｕ１（０.５，８）、点Ｕ２（１，１０）、点Ｕ３（３.５，１０）、点Ｕ４（４，８）、点Ｕ５（４.５，６）、点Ｕ６（４.５，３）、点Ｕ７（１，３）、点Ｕ８（１，６）、点Ｕ１（０.５，８）を順次、線分で結んで囲まれる領域内（前記線分上を含む。）における値に設定すればよいこととなる。
＜実施の形態２＞
図７に示した例では、第１および第２フィラメントコイル６２，６４（発光部６２Ａ，６４Ａ）は、そのコイル軸心ＣＸをバルブ２６の中心軸Ｂと略平行になるように配したが、これに限らず、図３８に示すように、コイル軸心ＣＸを中心軸Ｂに対して傾けて、両コイル軸心ＣＸ間の間隔が、前記反射鏡１８（図１）の反射面２０Ａから遠ざかるほど狭くなるような姿勢で、第１および第２フィラメントコイル６２，６４（発光部６２Ａ，６４Ａ）を配することとしても構わない。すなわち、発光部６２Ａのコイル軸芯ＣＸと発光部６４Ａのコイル軸芯ＣＸとが所定の角度αを成すように、発光部６２Ａと発光部６４Ａとを傾けても構わない。以下、２個の発光部のコイル軸芯同士の成す角度αを発光部の傾斜度合いを示すものとして「発光部傾斜角α」と称することとする。バルブ２６の中心軸Ｂを対称軸として配された両発光部６２Ａ，６４Ａの発光部傾斜角αは、同一の発光部６２Ａ，６４Ａにおいては、図３８に示す広い側の発光部間隔Ｄ４と狭い側の発光部間隔Ｄ３とで定まる。
【００８１】
なお、図３８に示す実施の形態２に係るフィラメント体７０は、フィラメントコイルの配置関係が異なる以外は、図７に示した実施の形態１に係るフィラメント体６０と基本的に同じなので、同様の構成部分については、同じ符号を付して、その説明については省略する。また、後で述べる実施の形態３、実施の形態４に係るフィラメント体（図５９、図６４）も、フィラメントコイルの配置関係が異なる以外は、図７に示したフィラメント体６０と基本的に同じなので、同様の構成部分については、同じ符号を付して、その説明については省略することとする。
（変形例）
図３８に示す例では、２個のフィラメントコイル（第１および第２フィラメントコイル６２，６４）でフィラメント体７０を構成したが、変形例では、フィラメント体を１個のフィラメントコイルで構成することとした。
【００８２】
図３９に、そのように構成したフィラメント体８０の斜視図を示す。
フィラメント体８０は、単フィラメントコイル８２一個で構成されている。
図３９に示すように、フィラメント体８０の一部を直接に支持する支持部材としては他に、フィラメント体８０を、その長手方向ほぼ中央で支持する中間支持部材であるサポート線８４がある。サポート線８４は、タングステン線からなる。
【００８３】
バルブ２６の封止部３８から延出された内部リード線８６，８８は、サポート線８４と共に、相互間の相対的な位置決め等のため、その一部がステムガラス９０で挟着されている。ステムガラス９０は、円柱形をした一対のガラス部材９０Ａ，９０Ｂを平行に溶着させたものである。
フィラメント体８０は、フィラメント線が、短軸と長軸とを有する扁平な横断面をした筒状に巻かれた単フィラメントコイル８２を、その長手方向ほぼ中央部で、短軸方向（短径方向）に略Ｖ字状に屈曲させ、当該屈曲部を中間支持部材であるサポート線８４で支持し、サポート線８４と両内部リード線８６，８８との間で懸架したものである。本例で示す略Ｖ字状は、ステムガラス９０（封止部３８(図２)）側に開いている。ここで、「略Ｖ字状」とは、厳密に文字「Ｖ」の形状を意味していないことは言うまでもなく、コイルを鋭角に屈曲させた際に必然的に形成されるおおよその形状を意味するものである。したがって、屈曲部も丸みを帯びていることは勿論であり、屈曲部から端部に至る部分も完全に直線である必要はなく、若干湾曲している状態を含むものである。また、鋭角に屈曲させず、積極的に円弧状に屈曲させて、全体的に略Ｕ字状とすることも可能である。
【００８４】
また、単フィラメントコイル８２は、全体的には、略一様なピッチで巻かれているのであるが、その両端部近傍に、上記略一様なピッチよりも拡げられた拡開部８２Ｅ１，８２Ｅ２を有する。拡開部８２Ｅ１，８２Ｅ２は、１〜２巻（ターン）の範囲で形成される。なお、「拡開部」は、コイルにおいてピッチがとんでいる（ピッチが大きくなっている）部分であることから「とばし部」と称することもある。
【００８５】
単フィラメントコイル８２において、拡開部８２Ｅ１，８２Ｅ２よりも端部側の部分が、それぞれ、内部リード線８６，８８に接続される（内部リード線８６，８８で支持される）継線部８２Ｂ１，８２Ｂ２となる。
拡開部８２Ｅ１，８２Ｅ２を設ける目的は、フィラメント体８０において、発光領域（発光するフィラメント線部分の長さ）を安定させるためである。内部リード線８６，８８と接触するフィラメント線部分は、通電状態において発光しない。拡開部８２Ｅ１，８２Ｅ２を設けない場合（すなわち、継線部となるべき部分と発光部となるべき部分とが、拡開部を介することなく、連続している場合）、両継線部８２Ｂ１，８２Ｂ２間が発光すべきなのであるが、発光部と継線部８２Ｂ１，８２Ｂ２との境界が不明確となり、継線部となるべき部分が不用意に発光したり、その逆に、発光すべき部分が発光しなかったりする事態が生じる。そこで、拡開部８２Ｅ１，８２Ｅ２を設け、継線部８２Ｂ１，８２Ｂ２と発光部との間に存するフィラメント線部分（すなわち、拡開部８２Ｅ１，８２Ｅ２に存するフィラメント線部分）は、積極的に発光させないこととすることにより、発光部の基端（フィラメント線の発光端）を明確にすることとしているのである。これにより、発光するフィラメント線部分の長さが安定する関係上、消費電力が安定することとなる。
【００８６】
ここで、上記の目的を確実に達成するためには、継線部８２Ｂ１，８２Ｂ２における、単フィラメントコイル８２の中央側（拡開部８２Ｅ１，８２Ｅ２側）の最終ターン（巻き線部分）を、内部リード線８６，８８に確実に接触させる必要がある。
このため、単フィラメントコイル８２の端部から導入された内部リード線８６，８８は、拡開部８２Ｅ１，８２Ｅ２から導出されていて、導出部８６Ａ，８８Ａが、単フィラメントコイル８２の対応する端部側に折り曲げられている。
【００８７】
内部リード線８６，８８の単フィラメントコイル８２内における形態は同様なので、内部リード線８８の単フィラメントコイル８２内（継線部８２Ｂ２内）での形態を代表として、図４０に示す。図４０は、図３９に示す矢印Ａの向きに継線部８２Ｂ２を見た図であり、継線部８２Ｂ２を断面で表し、その内部における内部リード線８８部分の形態を分かり易くした図である。なお、継線部８２Ｂ２は、両端以外の同一形状部分を一部省略したものであり、当該同一形状部分については、コイルの内径と外径を一点鎖線で表したものである。
【００８８】
内部リード線８８は、扁平な横断面を有する筒状に巻かれた単フィラメントコイル８２内において、前記横断面の長軸方向に「く」字状に屈曲された屈曲部８８Ｂを有する。屈曲部８８Ｂを設けない場合、単フィラメントコイル８２が内部リード線を中心として回転してしまうのであるが、当該屈曲部８８Ｂを設けることにより、当該回転を防止できる。回転を防止するのは、回転してしまうと、継線部８２Ｂ１，８２Ｂ２（図３９）同士が異常に接近したり、接触したりして、継線部８２Ｂ１，８２Ｂ２間での放電や、短絡が生じる恐れがあり、好ましくないからである。屈曲部８８Ｂの高さ「ｈ」は、前記長軸の長さと略等しいことが好ましい。
【００８９】
なお、屈曲部８８Ｂにおいて「く」字状の屈曲角度β１は特に限定されるものではなく、図示した角度より小さくても大きくても構わない。
また、屈曲の形態も「く」字状に限定されるものではなく、上述した目的が達成できる（効果が得られる）形態であれば構わない。上記の例では、内部リード線８８を３箇所で折曲して「く」字状にしたが、例えば、４箇所で折曲して「コ」字状としても構わない。あるいは、円弧状や蛇行状等としても構わない。
【００９０】
屈曲部８８Ｂ両側にストレート部８８Ｃ，８８Ｄが、継線部８２Ｂ２の前記長軸方向一端部側内周に沿い、継線部８２Ｂ２（単フィラメントコイル８２）の軸心方向に延びている。ストレート部８８Ｄに続く部分は、拡開部８２Ｅ２から単フィラメントコイル８２外へ導出されていて、当該導出部８８Ａが、前述したように、単フィラメントコイル８２の端部側に折り曲げられている。当該折り曲げは、内部リード線８８の、継線部８２Ｂ２における拡開部８２Ｅ２側の最終巻き線（最終ターン）８２Ｚ１と接触する位置を基点としてなされている。折り曲げ角度β２は、４５度以下が好ましい。
【００９１】
このように、導出部８８Ａを折り曲げることにより、内部リード線８８を最終巻き線８２Ｚ１と確実に接触させることができ、もって、継線部８２Ｂ２が不用意に発光することを防止できる。
また、導出部８８Ａを折り曲げることで、継線部８２Ｂ２が内部リード線８８から脱落するのを防止できる。図４０において、二点鎖線で示す折り曲げない状態のままであると、ハロゲン電球１４に外力が加わって、例えば、フィラメント体８０が扁平の長軸方向に振動した場合に導出部８８Ａから継線部８２Ｂ２が抜け出してしまう事態が生じるのであるが、上記のように折り曲げることで、フィラメント線が内部リード線８８の端部を越えて振動することが無いので、上記のような事態を防止できるのである。
【００９２】
図４１の上部に示すのは、内部リード線８６，８８、サポート線８４に取り付けられた状態、すなわち、図３９に示す状態のフィラメント体８０を、図３９においてバルブの中心軸Ｂの方向に見た平面図を模式的に表したものであり、図４１の下部に示すのは、矢印Ｃの向きに見た正面図を模式的に表したものである。ここで、図４１は、フィラメント体８０における通電中の発光箇所等を説明する目的で用いるため、本図において、内部リード線８６，８８の図示は省略し、サポート線８４は、フィラメント体８０を直接支持する部分で切断した切断端面で表している。図４１では、また、上部の平面図および下部の正面図の両方において、フィラメント体８０における発光部（８２Ａ１，８２Ａ２）を実線で、非発光部（８２Ｃ１，８２Ｃ２，８２Ｃ３）を二点鎖線で表した。
【００９３】
フィラメント体８０（単フィラメントコイル８２）は、継線部８２Ｂ１、拡開部８２Ｅ１および継線部８２Ｂ２、拡開部８２Ｅ２で発光しない（非発光部８２Ｃ１，８２Ｃ２）ことは、前述した通りである。
また、フィラメント体８０の屈曲部において、サポート線８４に支持されて接触している数巻き（数ターン）部は、隣接するターン同士の一部が接触して電気的に短絡状態となるため通電中においても発光しない。発光しない範囲は、屈曲部の態様、屈曲の程度（屈曲角度）、サポート線の形状等に拠るが、少なくとも屈曲部の一部は非発光部８２Ｃ３となる。すなわち、フィラメント体８０では、非発光部８２Ｃ３を含む屈曲部からフィラメント体８０の一端部に至る間に第１発光部８２Ａ１が、他端部に至る間に第２発光部８２Ａ２が存することとなる。
【００９４】
フィラメント体８０においても、発光部傾斜角αは発光部８２Ａ１と発光部８２Ａ２の狭い側の間隔Ｄ３と広い側の感覚Ｄ４とで調整することができる。狭い側の間隔Ｄ３は、限界はあるものの、ある程度の範囲でサポート線８４の線径によって調整できる。
ここで、図４２に示すように、サポート線８４に、導電性を有する円筒状部材の一例として示す支持コイル９２を加えて中間支持部材を構成することとしても構わない。図４２は、図４１と同様にして、フィラメント体８０等を表した図である。
【００９５】
サポート線８４の線径は、例えば、０.２５ｍｍといったように小さい（細い）ため、サポート線８４に、単フィラメントコイル８２を直接引っ掛けたのでは、当該引っ掛け部分における隣接するターン同士の接触が安定せず、その結果、設計上意図したように非発光部が形成されない場合がある。そこで、隣接するターン同士が安定して接触する程度に太い外径を有する支持コイル９２をサポート線８４に挿通して、支持コイル９２に単フィラメントコイル８２を直接引っ掛ける（巻き掛ける）ようにするのである。図４２に示すフィラメント体８０において、発光部８２Ａ１と発光部８２Ａ２の狭い側の間隔Ｄ３は、指示コイル９２のコイル外径で調整することができる。
【００９６】
なお、上記の目的のためであれば、支持コイル９２に代えて金属性の円筒部材を用いても構わない。
なお、サポート線８４は、内部リード線８６，８８とは異なり、導電性を有する必要はなく、フィラメント体８０を機械的に支持できれば構わないため、絶縁性部材、例えばセラミック材料やガラス材料で形成することも可能である。この場合であっても、フィラメント体８０の屈曲部の内側では、隣接する巻き線同士（ターン同士）が接触するほどにコイルピッチが狭くなるので、当該コイルピッチが狭くなり接触する部分で短絡が生じる。その結果、当該短絡部分は、発光しないこととなる。
【００９７】
また、本願発明者らは、変形例を含む実施の形態２においても、扁平率、コイル間隔を種々に変化させた際の、相対照度について調査した。
〔反射鏡：中角、短軸長さ（短内径）：０.３５[ｍｍ]〕
ここでは、図３８、図４１、図４２に示す広い側の発光部間隔Ｄ４は、２.５[ｍｍ]で固定し、短軸長さを０.３５[ｍｍ]とした場合において、狭い側の発光部間隔Ｄ３[ｍｍ]と扁平率との組み合わせを種々に変化させたときの相対照度に関して調査した。
【００９８】
調査結果を図４３に示す。図４３に示すように、狭い側の発光部間隔（狭い側のコイル間隔）は、０.２[ｍｍ]〜１．５[ｍｍ]の範囲で、扁平率は、２〜１０の範囲で変化させ、各々の組み合わせについて相対照度を調査した。
図４３に示す調査結果を、図１１と同様にして、図４４においてグラフ化した。
すなわち、図４４は、ｘ軸（横軸）に狭い側の発光部間隔（狭い側のコイル間隔）を、ｙ軸（縦軸）に扁平率をとったｘ−ｙ直交座標系であり、図４３に示す調査結果を、相対照度が１００以上であれば、白抜きの丸「○」で、相対照度が１００未満であれば、黒塗りの丸「●」で、各々、前記ｘ−ｙ直交座標系のグラフにプロットした。
【００９９】
したがって、図４３において、白抜きの丸「○」が占める領域内における「狭い側の発光部間隔（狭い側のコイル間隔）」と「扁平率」との組み合わせとした場合には、前記基準電球を用いた場合と同等かそれ以上の集光性が得られることとなる。
すなわち、図４４において、「狭い側の発光部間隔（狭い側のコイル間隔）」と「扁平率」との組み合わせを、（ｘ，ｙ）座標で表される点Ｈ１（０.２,３）、点Ｈ２（０.２，１０）、点Ｈ３（１.５，１０）、点Ｈ４（１.５，２）、点Ｈ５（１，２）、点Ｈ６（０.５，３）、点Ｈ１（０.２,３）を順次、線分で結んで囲まれる領域内（前記線分上を含む。）における値に設定すればよいこととなる。
【０１００】
〔反射鏡：中角、短軸長さ（短内径）：０.２５[ｍｍ]〜０.６[ｍｍ]〕
上記の例では、広い側の発光部間隔Ｄ４を固定し、狭い側の発光部間隔Ｄ３[ｍｍ]を変化させているので、発光部傾斜角α（図３８、図４１、図４２）も変化している。
本例では、発光部傾斜角は３０°（＝α）と固定し、狭い側の発光部間隔Ｄ３（図３８、図４１、図４２）と扁平率とを変化させた際の相対照度に関し、短軸長さ（短内径）が、０.２５[ｍｍ]、０.３０[ｍｍ]、０.３５[ｍｍ]、０.４０[ｍｍ]、０.４５[ｍｍ]、０.５０[ｍｍ]、０.６０[ｍｍ]の各々場合について調査した。
【０１０１】
短軸長さ毎の調査結果を、それぞれ、図４５〜図５１に示す。
そして、図４５〜図５１に示す調査結果を通し、発光部間隔と扁平率の対応する組み合わせの各々において、最も相対照度の低い値を抜き出し、図５２にまとめた。例えば、発光部間隔＝０.２[ｍｍ]、扁平率＝１０の組み合わせの場合、相対照度は、それぞれ、「１０７」（図４５）、「１０９」(図４６)、「１１１」（図４７）、「１０７」（図４８）、「１０４」（図４９）、「９９」（図５０）、「９２」（図５１）、なので、この内、最も低い相対照度「９２」を抜き出し、図５２において、発光部間隔＝０.２[ｍｍ]、扁平率＝１０に対応する欄に当該「９２」を記入した。
【０１０２】
図５１に示す結果を、図５３おいてグラフ化した。
図５３は、ｘ軸（横軸）に発光部間隔（コイル間隔）を、ｙ軸（縦軸）に短軸長さ[ｍｍ]をとったｘ−ｙ直交座標系である。図１１の場合と同様、図５３に示す調査結果は、相対照度が１００以上であれば、白抜きの丸「○」で、相対照度が１００未満であれば、黒塗りの丸「●」で、各々、前記ｘ−ｙ直交座標系のグラフにプロットした。
【０１０３】
図５３は、短軸長さ（短内径）＝０.２５[ｍｍ]〜０.６[ｍｍ]の範囲において、相対照度の最も低いデータに基づいているため、当該図５３において、白抜きの丸「○」が占める領域内における「発光部間隔」と「短軸長さ」との組み合わせとした場合には、少なくとも、短軸長さ（短内径）＝０.２５[ｍｍ]〜０.６[ｍｍ]の範囲において、前記基準電球と同等かそれ以上の集光性が得られることとなる。
【０１０４】
また、各々のデータ（相対照度）は、発光部傾斜角αが３０°の場合のものであるが、狭い側の発光部間隔Ｄ３（図３８、図４１、図４２）を変えずに、発光部傾斜角αを小さくした場合、第１発光部６２Ａと第２発光部６４Ａ（図３８）または第１発光部８２Ａ１と第２発光部８２Ａ２（図４１，図４２）は、全体的に光軸Ｒに近づくことになるので、相対照度も向上することとなる。したがって、図５３において、白抜きの丸「○」が占める領域内における「発光部間隔」と「短軸長さ」との組み合わせとした場合には、少なくとも、発光部傾斜角αが０°＜α≦３０°の範囲において、前記基準電球と同等かそれ以上の集光性が得られることとなる。
【０１０５】
まとめると、図５３において、白抜きの丸「○」が占める領域内における「発光部間隔」と「扁平率」との組み合わせとした場合には、少なくとも、短軸長さ（短内径）＝０.２５[ｍｍ]〜０.６[ｍｍ]の範囲で、かつ、発光部傾斜角αが０°＜α≦３０°の範囲において、前記基準電球と同等かそれ以上の集光性が得られることとなる。
すなわち、本条件の下では、図５３において、「発光部間隔」と「扁平率」との組み合わせを、（ｘ，ｙ）座標で表される点Ｖ１（０.２，４）、点Ｖ２（０.２，６）、点Ｖ３（０.５，６）、点Ｖ４（１，８）、点Ｖ５（１.５，８）、点Ｖ６（２，１０）、点Ｖ７（２.５，８）、点Ｖ８（２.５，６）、点Ｖ９（３，５）、点Ｖ１０（３，４）、点Ｖ１１（２.５，３）、点Ｖ１２（０.５，３）、点Ｖ１（０.２，４）を順次、線分で結んで囲まれる領域内（前記線分上を含む。）における値に設定すればよいこととなる。
【０１０６】
〔反射鏡：中角、短軸長さ（短内径）：０.２５[ｍｍ]〜１.００[ｍｍ]〕
本願発明者らは、さらに短軸長さ（短内径）＝１.００[ｍｍ]の場合についても、上記と同様、発光部傾斜角αが３０°の場合について、コイル間隔と扁平率との各組み合わせにおける相対照度に関して調査した。
調査結果を図５４に示す。
【０１０７】
そして、図４５〜図５１に加え、図５４に示す調査結果を通し、コイル間隔と扁平率の対応する組み合わせの各々において、最も相対照度の低い値を抜き出し、図５５にまとめた。
図５５に示す結果を、図５３の場合と同様にして、図５６おいてグラフ化した。
図５６のグラフから、図５３のグラフの場合と同様のことが言える。すなわち、図５６において、白抜きの丸「○」が占める領域内における「発光部間隔」と「扁平率」との組み合わせとした場合には、少なくとも、短軸長さ（短内径）＝０.２５[ｍｍ]〜１.００[ｍｍ]の範囲で、かつ、発光部傾斜角αが０°＜α≦３０°の範囲において、前記基準電球と同等かそれ以上の集光性が得られることとなる。
【０１０８】
したがって、本条件の下では、図５６において、「発光部間隔」と「扁平率」との組み合わせを、（ｘ，ｙ）座標で表される点Ｗ１（０.２，４）、点Ｗ２（０.２，５）、点Ｗ３（０.５，６）、点Ｗ４（２.５，６）、点Ｗ５（２.５，３）、点Ｗ６（０.５，３）、点Ｗ１（０.２，４）を順次、線分で結んで囲まれる領域内（前記線分上を含む。）における値に設定すればよいこととなる。
【０１０９】
〔反射鏡：広角、短軸長さ（短内径）：０.３５[ｍｍ]〕
上記の調査は、反射鏡に中角のものを用いた場合であったが、同じ調査を広角の反射鏡を用いた場合について実施した。
調査結果を図５７に、当該調査結果をグラフ化したものを図５８に示す。
図５８から、本例では、「狭い側の発光部間隔（狭い側のコイル間隔）」と「扁平率」との組み合わせを、（ｘ，ｙ）座標で表される点Ｊ１（０.５,３）、点Ｊ２（０.５，１０）、点Ｊ３（１.５，１０）、点Ｊ４（１.５，３）、点Ｊ１（０.５,３）を順次、線分で結んで囲まれる領域内（前記線分上を含む。）における値に設定すればよいこととなる。
【０１１０】
なお、実施の形態２において、これまで説明したものは、両コイル軸心ＣＸ間の間隔が、前記反射鏡１８（図１）の反射面２０Ａから遠ざかるほど狭くなるような姿勢で、第１および第２フィラメントコイル６４，６６（発光部６４Ａ，６６Ａ）を配することとしたが（図３８）、これとは逆に、両コイル軸心ＣＸ間の間隔が、前記反射鏡１８（図１）の反射面２０Ａから遠ざかるほど広くなるような姿勢で、第１および第２フィラメントコイル６４，６６（発光部６４Ａ，６６Ａ）を配することとしても構わない。
＜実施の形態３＞
図５９に実施の形態３に係るフィラメント体７２を示す。
【０１１１】
図７に示したフィラメント体６０では、第１および第２フィラメントコイル６４，６６（発光部６４Ａ，６６Ａ）は、そのコイル軸心ＣＸをバルブ２６の中心軸Ｂと略平行になるように配しているのに対し、実施の形態３に係るフィラメント体７２では、そのコイル軸心ＣＸがバルブ２６の中心軸Ｂと略直交するように配している点が異なる。
本願発明者らは、実施の形態３についても、短軸長さ[ｍｍ]、扁平率、コイル間隔Ｄ５[ｍｍ]の組み合わせを種々に変化させた際の、相対照度について調査した。
【０１１２】
〔反射鏡：中角、短軸長さ（短内径）：０.３５[ｍｍ]〕
短軸長さを０.３５[ｍｍ]とした場合において、コイル間隔Ｄ５と扁平率との組み合わせを種々に変化させたときの相対照度に関して調査した。
調査結果を図６０に示す。図６０に示すように、コイル間隔は、０.２[ｍｍ]〜４[ｍｍ]の範囲で、扁平率は、２〜１０の範囲で変化させ、各々の組み合わせについて相対照度を調査した。
【０１１３】
図６０に示す調査結果を、これまでと同様にして、図６１においてグラフ化した。
図６１から、本例の場合は、「コイル間隔（発光部間隔）」と「扁平率」との組み合わせを、（ｘ，ｙ）座標で表される点Ｋ１（０.２,３）、点Ｋ２（０.２，１０）、点Ｋ３（３.５，１０）、点Ｋ４（３.５，８）、点Ｋ５（３，６）、点Ｋ６（３，３）、点Ｋ１（０.２,３）を順次、線分で結んで囲まれる領域内（前記線分上を含む。）における値に設定すればよいこととなる。
【０１１４】
〔反射鏡：広角、短軸長さ（短内径）：０.３５[ｍｍ]〕
反射鏡を広角のものに変えた以外は、上記と同様の条件の下、短軸長さを０.３５[ｍｍ]とした場合において、コイル間隔Ｄ５と扁平率との組み合わせを種々に変化させたときの相対照度に関して調査した。
調査結果を図６２に、当該調査結果に基づき、これまでと同様に作成したグラフを図６３に示す。
【０１１５】
図６３から、本例においては、「コイル間隔（発光部間隔）」と「扁平率」との組み合わせを、（ｘ，ｙ）座標で表される点Ｍ１（０.５,３）、点Ｍ２（０.５，１０）、点Ｍ３（４.５，１０）、点Ｍ４（４.５，２）、点Ｍ５（３.５，２）、点Ｍ６（３，３）、点Ｍ１（０.５,３）を順次、線分で結んで囲まれる領域内（前記線分上を含む。）における値に設定すればよいこととなる。
＜実施の形態４＞
図６４に実施の形態４に係るフィラメント体７４を示す。
【０１１６】
図７に示したフィラメント体６０では、第１および第２フィラメントコイル６４，６６（発光部６４Ａ，６６Ａ）の２個を、バルブ２６の中心軸Ｂと略直交する方向に間隔を空けて並べたのに対し、実施の形態４に係るフィラメント体７４では、バルブ２６の中心軸Ｂの方向に間隔を空けて並べている点が異なる。
本願発明者らが、実施の形態４について、短軸長さ[ｍｍ]、扁平率、コイル間隔Ｄ５[ｍｍ]の組み合わせ種々に変化させた際の、相対照度について調査した結果を以下に説明する。
【０１１７】
〔反射鏡：広角、短軸長さ（短内径）：０.３５[ｍｍ]〕
短軸長さを０.３５[ｍｍ]とした場合において、コイル間隔Ｄ６（図６４）と扁平率との組み合わせを種々に変化させたときの相対照度に関して調査した。なお、反射鏡は広角のものを用いた。
調査結果を図６５に示す。図６５に示すように、コイル間隔は、０.２[ｍｍ]〜４.５[ｍｍ]の範囲で、扁平率は、２〜１０の範囲で変化させ、各々の組み合わせについて相対照度を調査した。
【０１１８】
図６５に示す調査結果を、これまでと同様にして、図６６においてグラフ化した。
図６６から、本例の場合は、「コイル間隔（発光部間隔）」と「扁平率」との組み合わせを、（ｘ，ｙ）座標で表される点Ｎ１（２.５,６）、点Ｎ２（２.５，１０）、点Ｎ３（４，１０）、点Ｎ４（４，８）、点Ｎ５（３.５，６）、点Ｎ１（２.５,６）を順次、線分で結んで囲まれる領域内（前記線分上を含む。）における値に設定すればよいこととなる。
＜実施の形態５＞
図６７は、実施の形態５に係る反射鏡付きハロゲン電球１００の概略構成を示す縦断面図である。
【０１１９】
反射鏡付きハロゲン電球１００は、反射鏡一体型のハロゲン電球であるが、これに用いているハロゲン電球１０２は、主として口金が異なる以外は、実施の形態１に係るハロゲン電球１４（図２）と基本的に同じ構成なので、共通部分には、同じ符号を付して、その説明については省略する。
反射鏡１０４は、硬質ガラスまたは石英ガラス等からなり、漏斗状をした基体１０６を有する。基体１０６において回転楕円面または回転放物面等に形成された凹面部分１０６Ａには、反射面を構成する多層干渉膜１０８が形成されている。多層干渉膜１０８は、二酸化ケイ素（ＳｉＯ2）、二酸化チタン（ＴｉＯ2）、フッ化マグネシウム（ＭｇＦ）、硫化亜鉛（ＺｎＳ）等で形成することができる。また、多層干渉膜１０８に代えてアルミニウムやクロム等からなる金属膜で反射面を構成することもできる。反射鏡１０４の開口径（ミラー径）は１００ｍｍである。なお、反射面には必要に応じてファセットを形成してもよい。
【０１２０】
反射鏡１０４は、基体１０６の開口部に設けられた前面ガラス１１０を有する。前面ガラス１１０は、基体１０６に公知の止め金具１１２によって係止されている。なお、止め金具１１２に代えて、接着剤で固着してもよい。あるいは、両方を併用しても構わない。もっとも、前面ガラスは、反射鏡付きハロゲン電球の必須の構成部材ではなく、無くても構わない。
【０１２１】
基体１０６のネック部１０６Ｂは、ハロゲン電球１０２の口金１１４の端子部１１６，１１８とは反対側に設けられた基体受け部１２２と嵌合された上、接着剤１２４で固着されている。
なお、基体１０６の口金１１４への取り付けに先立って、バルブ２６が、口金１１４に取り付けられている。言うまでも無く、口金１１４にバルブ２６と基体１０６（反射鏡１０４）とが取り付けられた状態で（すなわち、反射鏡１０４内にハロゲン電球１０２が組み込まれた状態で）、バルブ２６の中心軸と反射鏡１０４の光軸とが略同軸上に位置する（前記中心軸と前記光軸とが略一致する）こととなる。
【０１２２】
以上、本発明を実施の形態に基づいて説明してきたが、本発明は、上記した形態に限らないことは勿論であり、例えば、以下の形態とすることもできる。
（１）上記実施の形態１〜４では、反射鏡を備える照明器具とハロゲン電球とで照明装置を構成したが、これに限らず、反射鏡を有しない照明器具と反射鏡付きハロゲン電球とで照明装置を構成することとしても構わない。具体的には、例えば、図１に示す照明装置における反射鏡１８とハロゲン電球１４の代わりに、図６７に示す反射鏡付きハロゲン電球１００を取り付けて、照明装置を構成することとしても構わない。
（２）フィラメントコイルは、上記したトラック形状に限らず、他の扁平形状でも構わない。要は、互いに直交する長軸と短軸を有する扁平な横断面をした筒状に巻回されていれば構わない。また、扁平率も整数に限らず、任意の小数をとり得る。
【０１２３】
ここで、本発明において「短軸と長軸とを有する扁平な横断面」とは、以下に記すような形状のものを含む。当該形状について図６８を参照しながら説明する。なお、図６８では、短軸に符号「ＳＸ」を、長軸に符号「ＬＸ」を、また、短軸および長軸の両軸と略直交する中心軸（すなわち、コイル軸心）に符号「ＣＸ」をそれぞれ付している。
（i）同図（ａ）に示すように、コイル軸心ＣＸ方向から見て、上記したトラック形状のもの、つまり二つの平行な線分とそれらの各々の両端を略半円で結んだもの。
【０１２４】
（ii）同図（ｂ）に示すように、コイル軸心ＣＸ方向から見て、円形を押し潰した形状のもの。
（iii）同図（ｃ）に示すように、コイル軸心ＣＸ方向から見て、略楕円形状のもの
（iv）同図（ｄ）に示すように、コイル軸心ＣＸ方向から見て、略長方形のもの。但し、四隅は、加工上、丸みを帯びる。
【０１２５】
（v）その他、コイル軸心ＣＸ方向から見て、上記（i）〜（iv）に類似した形状のもの。例えば上記（i）において、同図（ｅ）に示すように、二つの平行な線分が内方向に湾曲していても上記（i）に類似した形状として含む。また、ここでは、加工ばらつきによる上記（i）〜（iv）の変形形状も含む。
（３）上記実施の形態では、管球の一例としてハロゲン電球を示したが、本発明は、ハロゲン電球以外の管球にも適用可能である。要は、フィラメント体に電流を流して白熱発光させる光源であれば構わないのである。
【産業上の利用可能性】
【０１２６】
本発明に係る管球は、例えば、反射鏡に組み込まれて使用される管球として好適に利用可能である。
【図面の簡単な説明】
【０１２７】
【図１】実施の形態１に係る照明装置の概略構成を示す一部切欠き図である。
【図２】上記照明装置を構成するハロゲン電球を示す図である。
【図３】上記ハロゲン電球におけるフィラメント体の支持構造を示す斜視図である。
【図４】上記支持構造にフィラメント体が支持された状態を示す斜視図である。
【図５】上記フィラメント体を構成するフィラメントコイルの製作方法を説明するための図である。
【図６】フィラメントコイルの平面図（上部）と正面図（下部）を表す模式図である。
【図７】上記フィラメント体の平面図（上部）と正面図（下部）を表す模式図である。
【図８】フィラメント体が２重コイルからなるハロゲン電球（基準電球）、フィラメント体が１重コイル３個からなるハロゲン電球（比較電球）、およびフィラメント体が１重コイル２個からなるハロゲン電球（実施例電球）の比較一覧を示す図である。
【図９】上記比較電球におけるフィラメント体の平面図（上部）と正面図（下部）を表す模式図である。
【図１０】実施の形態１のフィラメント体の形態を有するハロゲン電球に関し、中角の反射鏡と組み合わせた場合において、短軸長さ＝０.３５[ｍｍ]とし、コイル間隔（発光部間隔）、扁平率の組み合わせを変化させたときの相対照度の調査結果を示す図である。
【図１１】図１０に基づいて作成したグラフである。
【図１２】図１０に結果を示したのと同様の調査を短軸長さ＝０.２５[ｍｍ]の場合について実施した結果を示す図である。
【図１３】図１０に結果を示したのと同様の調査を短軸長さ＝０.３０[ｍｍ]の場合について実施した結果を示す図である。
【図１４】図１０に結果を示したのと同様の調査を短軸長さ＝０.４０[ｍｍ]の場合について実施した結果を示す図である。
【図１５】図１０に結果を示したのと同様の調査を短軸長さ＝０.４５[ｍｍ]の場合について実施した結果を示す図である。
【図１６】図１０に結果を示したのと同様の調査を短軸長さ＝０.５０[ｍｍ]の場合について実施した結果を示す図である。
【図１７】図１０に結果を示したのと同様の調査を短軸長さ＝０.６０[ｍｍ]の場合について実施した結果を示す図である。
【図１８】図１０、図１２〜図１７に示す調査結果を通し、コイル間隔と扁平率の対応する組み合わせの各々において、最も相対照度の低い値を抜き出して、まとめた図である。
【図１９】図１８に基づいて作成したグラフである。
【図２０】図１０に結果を示したのと同様の調査を短軸長さ＝１.００[ｍｍ]の場合について実施した結果を示す図である。
【図２１】図１０、図１２〜図１７、図２０に示す調査結果を通し、コイル間隔と扁平率の対応する組み合わせの各々において、最も相対照度の低い値を抜き出して、まとめた図である。
【図２２】図２１に基づいて作成したグラフである。
【図２３】実施の形態１のフィラメント体の形態を有するハロゲン電球に関し、中角の反射鏡と組み合わせた場合において、短軸長さ、コイル間隔（発光部間隔）、扁平率（一定）の組み合わせを変化させたときの相対照度の調査結果を示す図である。
【図２４】図２３に基づいて作成したグラフである。
【図２５】実施の形態１のフィラメント体の形態を有するハロゲン電球に関し、広角の反射鏡と組み合わせた場合において、短軸長さ＝０.３５[ｍｍ]とし、コイル間隔（発光部間隔）、扁平率の組み合わせを変化させたときの相対照度の調査結果を示す図である。
【図２６】図２５に基づいて作成したグラフである。
【図２７】図２５に結果を示したのと同様の調査を短軸長さ＝０.２５[ｍｍ]の場合について実施した結果を示す図である。
【図２８】図２５に結果を示したのと同様の調査を短軸長さ＝０.３０[ｍｍ]の場合について実施した結果を示す図である。
【図２９】図２５に結果を示したのと同様の調査を短軸長さ＝０.４０[ｍｍ]の場合について実施した結果を示す図である。
【図３０】図２５に結果を示したのと同様の調査を短軸長さ＝０.４５[ｍｍ]の場合について実施した結果を示す図である。
【図３１】図２５に結果を示したのと同様の調査を短軸長さ＝０.５０[ｍｍ]の場合について実施した結果を示す図である。
【図３２】図２５に結果を示したのと同様の調査を短軸長さ＝０.６０[ｍｍ]の場合について実施した結果を示す図である。
【図３３】図２５、図２７〜図３２に示す調査結果を通し、コイル間隔と扁平率の対応する組み合わせの各々において、最も相対照度の低い値を抜き出して、まとめた図である。
【図３４】図３３に基づいて作成したグラフである。
【図３５】図２５に結果を示したのと同様の調査を短軸長さ＝１.００[ｍｍ]の場合について実施した結果を示す図である。
【図３６】図２５、図２７〜図３２、図３５に示す調査結果を通し、コイル間隔と扁平率の対応する組み合わせの各々において、最も相対照度の低い値を抜き出して、まとめた図である。
【図３７】図３６に基づいて作成したグラフである。
【図３８】実施の形態２に係るフィラメント体の平面図（上部）と正面図（下部）を表す模式図である。
【図３９】変形例に係るフィラメント体の斜視図である。
【図４０】図３９に示す矢印Ａの向きに継線部を見た図であり、継線部を簡易断面で表し、その内部における内部リード線部分の形態を分かり易くした図である。
【図４１】上記変形例に係るフィラメント体を平面図（上部）と正面図（下部）で表した模式図である。
【図４２】他の変形例に係るフィラメント体を平面図（上部）と正面図（下部）で表した模式図である。
【図４３】実施の形態２のフィラメント体の形態を有するハロゲン電球に関し、中角の反射鏡と組み合わせた場合において、短軸長さ（一定）、コイル間隔（発光部間隔）、扁平率の組み合わせを変化させたときの相対照度の調査結果を示す図である。
【図４４】図４３に基づいて作成したグラフである。
【図４５】実施の形態２のフィラメント体の形態を有するハロゲン電球に関し、中角の反射鏡と組み合わせた場合において、短軸長さ＝０.２５[ｍｍ]、発光部傾斜角α＝３０°とし、狭い側の発光部間隔、扁平率の組み合わせを変化させたときの相対照度の調査結果を示す図である。
【図４６】図４５に結果を示したのと同様の調査を短軸長さ＝０.３０[ｍｍ]の場合について実施した結果を示す図である。
【図４７】図４５に結果を示したのと同様の調査を短軸長さ＝０.３５[ｍｍ]の場合について実施した結果を示す図である。
【図４８】図４５に結果を示したのと同様の調査を短軸長さ＝０.４０[ｍｍ]の場合について実施した結果を示す図である。
【図４９】図４５に結果を示したのと同様の調査を短軸長さ＝０.４５[ｍｍ]の場合について実施した結果を示す図である。
【図５０】図４５に結果を示したのと同様の調査を短軸長さ＝０.５０[ｍｍ]の場合について実施した結果を示す図である。
【図５１】図４５に結果を示したのと同様の調査を短軸長さ＝０.６０[ｍｍ]の場合について実施した結果を示す図である。
【図５２】図４５〜図５１に示す調査結果を通し、コイル間隔と扁平率の対応する組み合わせの各々において、最も相対照度の低い値を抜き出して、まとめた図である。
【図５３】図５２に基づいて作成したグラフである。
【図５４】図４５に結果を示したのと同様の調査を短軸長さ＝１.００[ｍｍ]の場合について実施した結果を示す図である。
【図５５】図４５〜図５１、図５４に示す調査結果を通し、コイル間隔と扁平率の対応する組み合わせの各々において、最も相対照度の低い値を抜き出して、まとめた図である。
【図５６】図５５に基づいて作成したグラフである。
【図５７】実施の形態２のフィラメント体の形態を有するハロゲン電球に関し、広角の反射鏡と組み合わせた場合において、短軸長さ（一定）、コイル間隔（発光部間隔）、扁平率の組み合わせを変化させたときの相対照度の調査結果を示す図である。
【図５８】図５７に基づいて作成したグラフである。
【図５９】実施の形態３に係るフィラメント体の平面図（上部）と正面図（下部）を表す模式図である。
【図６０】実施の形態３のフィラメント体の形態を有するハロゲン電球に関し、中角の反射鏡と組み合わせた場合において、短軸長さ（一定）、コイル間隔（発光部間隔）、扁平率の組み合わせを変化させたときの相対照度の調査結果を示す図である。
【図６１】図６０に基づいて作成したグラフである。
【図６２】実施の形態３のフィラメント体の形態を有するハロゲン電球に関し、広角の反射鏡と組み合わせた場合において、短軸長さ（一定）、コイル間隔（発光部間隔）、扁平率の組み合わせを変化させたときの相対照度の調査結果を示す図である。
【図６３】図６２に基づいて作成したグラフである。
【図６４】実施の形態４に係るフィラメント体の平面図（上部）と正面図（下部）を表す模式図である。
【図６５】実施の形態４のフィラメント体の形態を有するハロゲン電球に関し、広角の反射鏡と組み合わせた場合において、短軸長さ（一定）、コイル間隔（発光部間隔）、扁平率の組み合わせを変化させたときの相対照度の調査結果を示す図である。
【図６６】図６５に基づいて作成したグラフである。
【図６７】実施の形態５に係る反射鏡付きハロゲン電球の概略構成を示す図である。
【図６８】扁平な筒（状）の横断面の形状を例示した図である。
【符号の説明】
【０１２８】
１０    照明装置
１２    照明器具
１４，１０２    ハロゲン電球
１８，１０４    反射鏡
２６    バルブ
６０，７０，７２，７４，８０    フィラメント体
６２，６４    フィラメントコイル
６２Ａ，６４Ａ，８２Ａ１，８２Ａ２    発光部
１００    反射鏡付きハロゲン電球
【図１】
0004227656.tif 000002
【図２】
0004227656.tif 000003
【図３】
0004227656.tif 000004
【図４】
0004227656.tif 000005
【図５】
0004227656.tif 000006
【図６】
0004227656.tif 000007
【図７】
0004227656.tif 000008
【図８】
0004227656.tif 000009
【図９】
0004227656.tif 000010
【図１０】
0004227656.tif 000011
【図１１】
0004227656.tif 000012
【図１２】
0004227656.tif 000013
【図１３】
0004227656.tif 000014
【図１４】
0004227656.tif 000015
【図１５】
0004227656.tif 000016
【図１６】
0004227656.tif 000017
【図１７】
0004227656.tif 000018
【図１８】
0004227656.tif 000019
【図１９】
0004227656.tif 000020
【図２０】
0004227656.tif 000021
【図２１】
0004227656.tif 000022
【図２２】
0004227656.tif 000023
【図２３】
0004227656.tif 000024
【図２４】
0004227656.tif 000025
【図２５】
0004227656.tif 000026
【図２６】
0004227656.tif 000027
【図２７】
0004227656.tif 000028
【図２８】
0004227656.tif 000029
【図２９】
0004227656.tif 000030
【図３０】
0004227656.tif 000031
【図３１】
0004227656.tif 000032
【図３２】
0004227656.tif 000033
【図３３】
0004227656.tif 000034
【図３４】
0004227656.tif 000035
【図３５】
0004227656.tif 000036
【図３６】
0004227656.tif 000037
【図３７】
0004227656.tif 000038
【図３８】
0004227656.tif 000039
【図３９】
0004227656.tif 000040
【図４０】
0004227656.tif 000041
【図４１】
0004227656.tif 000042
【図４２】
0004227656.tif 000043
【図４３】
0004227656.tif 000044
【図４４】
0004227656.tif 000045
【図４５】
0004227656.tif 000046
【図４６】
0004227656.tif 000047
【図４７】
0004227656.tif 000048
【図４８】
0004227656.tif 000049
【図４９】
0004227656.tif 000050
【図５０】
0004227656.tif 000051
【図５１】
0004227656.tif 000052
【図５２】
0004227656.tif 000053
【図５３】
0004227656.tif 000054
【図５４】
0004227656.tif 000055
【図５５】
0004227656.tif 000056
【図５６】
0004227656.tif 000057
【図５７】
0004227656.tif 000058
【図５８】
0004227656.tif 000059
【図５９】
0004227656.tif 000060
【図６０】
0004227656.tif 000061
【図６１】
0004227656.tif 000062
【図６２】
0004227656.tif 000063
【図６３】
0004227656.tif 000064
【図６４】
0004227656.tif 000065
【図６５】
0004227656.tif 000066
【図６６】
0004227656.tif 000067
【図６７】
0004227656.tif 000068
【図６８】
0004227656.tif 000069